(57)【要約】  ユーザにより装着されるウェアラブル技術デバイスにより収集されるパーソナルヘルスパラメータデータをユーザが提供することと引き換えに、トークン、データ分析、引き換え可能ポイントなどのインセンティブをユーザへ提供するためのシステム、ウェアラブルデバイス、コンピュータデバイス、及び方法が本明細書で開示される。一部の実施形態において、インセンティブと引き換えに共有されるデータのタイプをユーザが選択することを可能にする、並びにデータのセキュリティ及び／又は処理を制御する様々なフラグをユーザが設定することを可能にする、一つ以上のユーザインターフェースが提供され得る。
2018514831.tif 000002
【特許請求の範囲】
【請求項１】
ウェアラブルデバイスのユーザへインセンティブを提供する方法であって、
ユーザにより装着されるウェアラブルデバイスの一つ以上のプロセッサにより、前記ユーザにより操作可能なユーザインターフェースを提供するステップと、
前記ユーザインターフェースにおいて、前記一つ以上のプロセッサと動作可能に結合される一つ以上のセンサにより検出されるヘルスパラメータタイプに対するデータ共有設定を受信するステップと、
一つ以上の通信リンクを介して前記一つ以上のプロセッサにより、前記データ共有設定に従ってサードパーティデータユーザによりアクセス可能な一つ以上のリモートコンピュータデバイスへ、前記一つ以上のセンサにより検出される前記ヘルスパラメータタイプのパーソナルヘルスパラメータデータを送信するステップと、
前記一つ以上の通信リンクを介して前記一つ以上のプロセッサにより、共有される前記パーソナルヘルスパラメータデータと引き換えに、インセンティブを示すデータを受信するステップと、
出力デバイスを用いて前記一つ以上のプロセッサにより、前記ユーザへ前記インセンティブの表現を出力するステップと
を有する方法。
【請求項２】
前記データ共有設定が一つ以上の受信者へ前記パーソナルヘルスパラメータデータを提供する権限を有する、請求項１に記載のインセンティブを提供する方法。
【請求項３】
前記データ共有設定が、共通特徴を共有する複数の受信者へ前記パーソナルヘルスパラメータデータを提供する権限を有し、前記共通特徴がビジネスタイプを有する、請求項２に記載のインセンティブを提供する方法。
【請求項４】
前記データ共有設定が、一つ以上の要求者からの前記パーソナルヘルスパラメータデータに対するインセンティブオファーを受ける権限をさらに有し、方法が、前記一つ以上の通信リンクを介して前記一つ以上のプロセッサにより、前記パーソナルヘルスパラメータデータに対するインセンティブオファーを受信するステップをさらに有する、請求項１に記載のインセンティブを提供する方法。
【請求項５】
前記データ共有設定が、共通特徴を共有するインセンティブオファーを受ける権限を有し、前記共通特徴がインセンティブのタイプを有する、請求項４に記載のインセンティブを提供する方法。
【請求項６】
前記データ共有設定が、共有するステップ後にリモートデバイスにおいて前記パーソナルヘルスパラメータデータが保持される時間の長さを選択するオプションをさらに有する、請求項１に記載のインセンティブを提供する方法。
【請求項７】
前記データ共有設定が共有される前記パーソナルヘルスパラメータデータを匿名化するオプションをさらに有する、請求項１に記載のインセンティブを提供する方法。
【請求項８】
前記データ共有設定が共有される前記パーソナルヘルスパラメータデータを暗号化するオプションをさらに有する、請求項１に記載のインセンティブを提供する方法。
【請求項９】
プロセッサとメモリを有するコンピュータデバイスであって、前記メモリに保存される複数のコンピュータ命令が、前記プロセッサにより実行されるとき、提供されるインセンティブと引き換えにウェアラブルデバイスの一つ以上のセンサにより検出されるパーソナルヘルスパラメータデータを共有するための以下の動作を前記コンピュータデバイスに実行させる、コンピュータデバイス：
前記メモリに、前記ウェアラブルデバイスの一つ以上のセンサにより検出される前記パーソナルヘルスパラメータデータを保存するステップ；
インセンティブと引き換えにパーソナルヘルスパラメータデータを要求する識別されたデータユーザからのオファーを受信するステップ；
前記パーソナルヘルスパラメータデータを受信する権限があるデータユーザを示す一つ以上のデータユーザ設定を受信するステップ；
ユーザが前記パーソナルヘルスパラメータデータを共有することを承認するインセンティブを示す一つ以上のインセンティブ設定を受信するステップ；
前記メモリに、前記データユーザ設定と前記インセンティブ設定を、それらが関連するパーソナルヘルスパラメータデータと関連付けて保存するステップ；
かかるオファーが関連する前記パーソナルヘルスパラメータデータについて、前記データユーザを保存された前記データユーザ設定と比較し、前記提供されるインセンティブを保存された前記インセンティブ設定と比較するステップ；並びに、
比較の結果に基づいて前記データユーザへ要求されたパーソナルヘルスパラメータデータを選択的に送信するステップ。
【請求項１０】
前記コンピュータデバイスにより実行される方法が、
データユーザへ送信される場合に前記パーソナルヘルスパラメータデータへ適用可能な一つ以上のセキュリティ設定を受信するステップと、
前記データユーザへ要求されたパーソナルヘルスパラメータデータを送信するステップの前に、前記セキュリティ設定を送信されるパーソナルヘルスパラメータデータへ適用するステップと
をさらに有する、請求項９に記載のコンピュータデバイス。
【請求項１１】
ウェアラブルデバイスであって、
前記ウェアラブルデバイスを装着するユーザから、少なくとも一つのヘルスパラメータタイプのパーソナルヘルスパラメータデータを検出するための少なくとも一つのセンサと、
一つ以上のプロセッサと、
前記一つ以上のプロセッサと動作可能に結合され、前記一つ以上のプロセッサにより実行されるとき、前記パーソナルヘルスパラメータデータを共有するための以下の動作を前記一つ以上のプロセッサに実行させる複数のコンピュータ命令を保存する、メモリと：
前記メモリに、前記センサにより検出される前記パーソナルヘルスパラメータデータを保存するステップ；
前記ユーザにより操作可能なユーザインターフェースを提供するステップ；
前記ユーザインターフェースにおいて、前記パーソナルヘルスパラメータデータを受信する権限がある一つ以上のデータユーザを識別する一つ以上のデータユーザ設定を受信するステップ；
前記ユーザインターフェースにおいて、前記ユーザが前記パーソナルヘルスパラメータデータを共有することと引き換えに承認する一つ以上のインセンティブを示す一つ以上のインセンティブ設定を受信するステップ；
前記メモリに、前記データユーザ設定と前記インセンティブ設定を、それらが関連する前記パーソナルヘルスパラメータデータと関連付けて保存するステップ；
要求されたパーソナルヘルスパラメータデータについて、要求するデータユーザを保存された前記データユーザ設定と比較し、提供されるインセンティブを保存された前記インセンティブ設定と比較するステップ；
比較の結果に基づいて前記要求するデータユーザへ前記要求されたパーソナルヘルスパラメータデータを選択的に送信する、前記一つ以上のプロセッサと動作可能に結合される通信トランシーバと
を有する、ウェアラブルデバイス。
【請求項１２】
前記データユーザ設定と前記インセンティブ設定の少なくとも一つが前記パーソナルヘルスパラメータデータのヘルスパラメータタイプにより設定される、請求項１１に記載のウェアラブルデバイス。
【請求項１３】
前記ウェアラブルデバイスにより実行される方法が、
前記ユーザインターフェースにおいて、前記パーソナルヘルスパラメータデータに適用可能な一つ以上のセキュリティ設定を受信するステップと、
前記通信システムが前記データユーザへ前記要求されたパーソナルヘルスパラメータデータを送信するステップの前に、前記セキュリティ設定を送信される前記パーソナルヘルスパラメータデータへ適用するステップと
をさらに有する、請求項１２に記載のウェアラブルデバイス。
【請求項１４】
前記セキュリティ設定がデータ保持設定、データ匿名化設定、及びデータ暗号化設定の少なくとも一つを有する、請求項１３に記載のウェアラブルデバイス。
【請求項１５】
前記セキュリティ設定が前記パーソナルヘルスパラメータデータのヘルスパラメータタイプにより設定される、請求項１４に記載のウェアラブルデバイス。
【発明の詳細な説明】
【技術分野】
【０００１】
［関連出願データ］
本願は、あらゆる目的のためにその全体が本明細書に引用により組み込まれる、"Ｍｅｔｈｏｄｓ  ａｎｄ  Ｓｏｆｔｗａｒｅ  ｆｏｒ  Ｐｒｏｖｉｄｉｎｇ  ａｎ  Ｉｎｃｅｎｔｉｖｅ  ｔｏ  ａ  Ｕｓｅｒ  ｉｎ  Ｅｘｃｈａｎｇｅ  ｆｏｒ  Ｓｈａｒｉｎｇ  Ｗｅａｒａｂｌｅ  Ｔｅｃｈｎｏｌｏｇｙ  Ｓｅｎｓｏｒ  Ｄａｔａ"と題する２０１５年３月９日出願の米国仮特許出願第６２／１３０，１４０号の優先権の利益を主張する。
【０００２】
［技術分野］
本開示は概してヘルスモニタリングの分野に関する。特に、ただし限定されないが、本開示はウェアラブル技術センサデータの共有と引き換えにユーザへインセンティブを与えるための方法と装置に向けられる。
【背景技術】
【０００３】
ここ１０年を通して、ムーアの法則及び関連する開発の好都合な効果はコンピュータ技術において多大な進歩をもたらしてきた。ウェアラブル技術はこの進歩において見過ごされていない。開発者は、とりわけ、最先端の技術と消費者の需要の合流点を特定しようと、様々な拡張現実アプリケーション、新型歩数計、運動モニタリングデバイスの研究と実装を続けている。
【発明の概要】
【発明が解決しようとする課題】
【０００４】
しかしながらウェアラブル技術はまだ市場で広く確立されておらず、消費者が受け入れる有用で便利なウェアラブル技術を生み出すためには、多くの新たな改良されたテクノロジーと技術を開発する必要がある。
【課題を解決するための手段】
【０００５】
一実施例において、本開示はウェアラブルデバイスのユーザへインセンティブを提供する方法に向けられる。方法は、ユーザにより装着されるウェアラブルデバイスの一つ以上のプロセッサにより、ユーザにより操作可能なユーザインターフェースを提供するステップ；一つ以上のプロセッサと動作可能に結合される一つ以上のセンサにより検出されるヘルスパラメータタイプに対するデータ共有設定を、ユーザインターフェースにおいて受信するステップ；一つ以上のセンサにより検出される当該ヘルスパラメータタイプのパーソナルヘルスパラメータデータを、当該データ共有設定に従ってサードパーティデータユーザによりアクセス可能な一つ以上のリモートコンピュータデバイスへ、一つ以上の通信リンクを介して一つ以上のプロセッサにより送信するステップ；共有されるパーソナルヘルスパラメータデータと引き換えに、インセンティブを示すデータを、一つ以上の通信リンクを介して一つ以上のプロセッサにより受信するステップ；出力デバイスを用いて一つ以上のプロセッサにより、インセンティブの表現をユーザへ出力するステップを含み得る。
【０００６】
別の実施例において、本開示はプロセッサとメモリを含むコンピュータデバイスに向けられ、メモリに保存される複数のコンピュータ命令が、プロセッサにより実行されるとき、提供されるインセンティブと引き換えにウェアラブルデバイスの一つ以上のセンサにより検出されるパーソナルヘルスパラメータデータを共有するための以下の動作をコンピュータデバイスに実行させる：ウェアラブルデバイスの一つ以上のセンサにより検出されるパーソナルヘルスパラメータデータをメモリに保存する；インセンティブと引き換えにパーソナルヘルスパラメータデータを要求する識別されたデータユーザからのオファーを受信する；パーソナルヘルスパラメータデータを受信する権限があるデータユーザを示す一つ以上のデータユーザ設定を受信する；ユーザがパーソナルヘルスパラメータデータを共有することを承認するインセンティブを示す一つ以上のインセンティブ設定を受信する；当該データユーザ設定と当該インセンティブ設定を、それらが関連するパーソナルヘルスパラメータデータと関連付けてメモリに保存する；かかるオファーが関連するパーソナルヘルスパラメータデータについて、当該データユーザを保存された当該データユーザ設定と比較し、当該提供されるインセンティブを保存された当該インセンティブ設定と比較する；比較の結果に基づいて当該データユーザへ要求されたパーソナルヘルスパラメータデータを選択的に送信する。
【０００７】
さらに別の実施例において、本開示は、ウェアラブルデバイスを装着するユーザから、少なくとも一つのヘルスパラメータタイプのパーソナルヘルスパラメータデータを検出するための少なくとも一つのセンサ；一つ以上のプロセッサ；一つ以上のプロセッサと動作可能に結合されるメモリを含む、ウェアラブルデバイスに向けられる。メモリは、一つ以上のプロセッサにより実行されるとき、当該パーソナルヘルスパラメータデータを共有するための以下の動作を一つ以上のプロセッサに実行させる複数のコンピュータ命令を保存し得る：当該センサにより検出される当該パーソナルヘルスパラメータデータを当該メモリに保存し、ユーザにより操作可能なユーザインターフェースを提供する；当該パーソナルヘルスパラメータデータを受信する権限がある一つ以上のデータユーザを識別する一つ以上のデータユーザ設定を、ユーザインターフェースにおいて受信し、当該パーソナルヘルスパラメータデータの共有と引き換えにユーザが承認する一つ以上のインセンティブを示す一つ以上のインセンティブ設定を、ユーザインターフェースにおいて受信し、当該データユーザ設定と当該インセンティブ設定を、それらが関連する当該パーソナルヘルスパラメータデータと関連付けて当該メモリに保存し、要求されたパーソナルヘルスパラメータデータについて、要求するデータユーザを保存された当該データユーザ設定と比較し、提供されるインセンティブを保存された当該インセンティブ設定と比較する。コンピュータデバイスは、比較の結果に基づいて当該要求するデータユーザへ当該要求されたパーソナルヘルスパラメータデータを選択的に送信するために一つ以上のプロセッサと動作可能に結合される通信トランシーバも含み得る。
【０００８】
例示の目的で、図面は本開示の一つ以上の実施形態の態様を示す。しかしながら、本開示は図面に図示の正確な配置と手段に限定されないことが理解されるはずである。
【図面の簡単な説明】
【０００９】
【図１】パーソナルヘルスパラメータデータと引き換えにインセンティブをユーザへ与える方法例のフロー図である。
【図２】図１の方法を実行するためのヘルスパラメータインセンティブ交換システム例の模式図である。
【図３】例えば図２のウェアラブルデバイス２０２上で実行するベースソフトウェア２２４により提供され得るパーソナルヘルスパラメータデータ利用グラフィカルユーザインターフェース（"ＧＵＩ"）例を例示する。
【図４】例えば図２のウェアラブルデバイス２０２上で実行するベースソフトウェア２２４により提供され得るルールＧＵＩ例を例示する。
【図５】例えば図２のウェアラブルデバイス２０２上で実行するベースソフトウェア２２４により提供され得るフラグデータＧＵＩ例を例示する。
【図６】図２のヘルスパラメータインセンティブ交換システムと使用可能なウェアラブルデバイスのシステムブロック図例である。
【図７】例えば図２のウェアラブルデバイス２０２上で実行するベースソフトウェア２２４により提供され得るデータ分析ＧＵＩ例を例示する。
【図８】例えば図２のウェアラブルデバイス２０２上で実行するベースソフトウェア２２４により提供され得るデータ交換ＧＵＩ例を例示する。
【図９】例えば図２のウェアラブルデバイス２０２上で実行するベースソフトウェア２２４により実行され得る方法例を例示するフロー図である。
【図１０Ａ】例えば図２のウェアラブルデバイス２０２上で実行するデータ交換ソフトウェア２２６により実行され得る方法例を例示するフロー図を含む。
【図１０Ｂ】例えば図２のウェアラブルデバイス２０２上で実行するデータフラッギングソフトウェア２２８により実行され得る方法例を例示するフロー図を含む。
【図１０Ｃ】例えば図２のウェアラブルデバイス２０２上で実行するデータフラッギングソフトウェア２２８により実行され得る方法例を例示するフロー図を含む。
【図１１】例えば図２のデータ交換ネットワーク２０６上で実行するトークンソフトウェア２４２により実行され得る方法例を例示するフロー図である。
【図１２】例えば図２のデータ交換ネットワーク２０６上で実行するデータ分析ソフトウェア２４４により実行され得る方法例を例示するフロー図である。
【図１３】ウェアラブル技術センサデータの共有と引き換えにユーザへインセンティブを与える例示的な方法全体である。
【図１４】本開示の方法の任意の一つ以上を実施するために使用され得るコンピュータシステムのハイレベル模式図である。
【発明を実施するための形態】
【００１０】
本開示の態様は、ウェアラブル技術デバイス、例えばとりわけスマートウォッチ、ヘルスバンド、フィットネスバンドにより収集されるパーソナルヘルスパラメータデータと引き換えに、とりわけトークン、データ解析、報酬ポイントなどのインセンティブをユーザへ与えることに向けられる。ウェアラブル技術デバイスを用いて検出若しくは測定され得る"パーソナルヘルスパラメータデータ"の例は、とりわけバイタルサイン（例えば温度、脈拍、呼吸数、血圧）、心拍、身体活動、発汗、心音、肺呼吸音、及び音声認識を含む他のオーディオを含む。より詳細に後述される通り、かかる態様は、数あるデバイスの中でも、上記のウェアラブル技術デバイス（又は単に"ウェアラブルデバイス"）、スマートフォン、タブレットコンピュータなどのパーソナルコンピュータデバイス（又は単に"ユーザデバイス"）、及びウェブサーバを含む、様々なデバイスの一つ以上で実行する様々なグラフィカルユーザインターフェース（"ＧＵＩ"）及び他のソフトウェア機能により促進され得る。本開示のこれらの広範な態様及びそれらの促進する構成要素は、様々な実施例に関連して以下に記載される。
【００１１】
従来のウェアラブルデバイスはほとんどのスマートデバイスと比較して、ほとんど安全ではない。現在、ウェアラブルデバイスは主に、任意の取得されたパーソナルヘルスパラメータデータの送信を防止することによってセキュリティを維持する。例えば、ほとんどの従来のフィットネスバンドは、パーソナルヘルスパラメータデータを収集し、フィットネスバンド自体でコンピュータ分析を実行し、そしてフィットネスベースディスプレイのセットをユーザへ提供する。ウェアラブルデバイスがリモートコンピュータデバイスによる分析のためにパーソナルヘルスパラメータデータを送信する限りにおいて、データは通常、かかるデータをサードパーティデータユーザに対してより広く利用可能にすることとは対照的に、問題のウェアラブルデバイスのプロバイダと特異的に関連するリモートデバイスへ送信される。かかる"データユーザ"は、限定ではなく一例として、患者のパーソナルヘルスパラメータデータを遠隔的に受信する権限を与えられた医師、現場にいながら顧客のパーソナルヘルスパラメータデータを受信する権限を与えられたジムネットワーク、並びにリハビリテーションサービス、高齢者居住コミュニティ、病院、及び養護施設といった他のオンサイト健康関連サービスのプロバイダ、健康関連サービスに直接関係のないレストランやその他のサービスプロバイダ、並びに顧客と共有する傾向を識別するための情報をコンパイルする"ビッグデータ"ユーザを含む。かかるデータユーザは一般に、ウェアラブルデバイスユーザに自分のパーソナルヘルスパラメータデータを共有することを動機付ける方法を持たず、従って多くのユーザから大量のウェアラブルデータを取得することができない。結果として、本開示の一態様は、ウェアラブルデバイスユーザがそのウェアラブルデータと引き換えにデータユーザから一つ以上のインセンティブを受け取ることを可能にするデータ交換ネットワークを作ることである。
【００１２】
限定ではなく一例として、"インセンティブ"は、トークン（例えばアイテムの割引若しくは無料アイテムのオファー）、支払いの、例えばクレジットカードの報酬ポイント、ユーザに関連するユーザデバイスに無料若しくは割引価格で利用可能にされるソフトウェアアプリケーション（一般に、"アプリ（ａｐｐ）"）、データユーザと共有されるパーソナルヘルスパラメータデータの分析を提供するオファー、の一つ以上を含み得る。"インセンティブ"の他の例は、共有されるパーソナルヘルスパラメータデータに基づく支援メッセージ若しくは他の励ましといった動機付けツール、或いは、例えば継続中の大学の健康調査を支援するための、かかる情報の収集におけるデータユーザの目的の記述を含む。"インセンティブ"は、関連するユーザデバイス（若しくは他のユーザデバイス）への追加データストレージ又はデータ使用容量の許可、或いはユーザにパーソナルヘルスパラメータデータを共有することを動機付けるのに役立ち得る任意の他の種類の情報又はアイテムをさらに含み得る。ＧＵＩ及びソフトウェアは、ユーザが異なるタイプのヘルスデータ（"ヘルスパラメータタイプ"）に対するルール（"データ共有設定"）を設定することを可能にする。ヘルスパラメータタイプは、活動データ、健康関連測定の特定タイプ（心拍数、温度、血圧など）、及び他のパーソナルヘルスパラメータデータ（オーディオなど）を含み得る。データ共有設定は、パーソナルヘルスパラメータデータが共有され得る可能性のあるデータユーザの一つ以上を規定する"データユーザ設定"、ユーザにパーソナルヘルスパラメータデータを共有することを促すために提供され得るインセンティブのタイプを規定する"インセンティブ設定"、並びにデータユーザと共有されるときにパーソナルヘルスパラメータデータへ適用される、データ保持、データ匿名性、暗号化、及び他のデータセキュリティを規定する"セキュリティ設定"（又は"フラグ"）、の一つ以上を含む。
【００１３】
図１は、図２のデータ交換システム例などのデータ交換システムの一つ以上のデバイス上で実行されるデータ交換ソフトウェアにより実行され得るハイレベル方法例１００を例示する。図１の方法を説明する前に、かかる方法が実行され得る背景例を読者に与えるために図２のデータ交換システムが最初に説明される。図２を参照すると、例示されたデータ交換システム２００は三つの主コンポーネント、すなわちウェアラブルデバイス２０２、ユーザデバイス２０４、及びデータ交換ネットワーク２０６を含む。これら三つの主コンポーネントは互いに直接、及び／又は、ここではクラウド若しくはインターネット２０８（ただしＬＡＮ及びキャリアネットワークなどの他のネットワークが通信ネットワーク２０８の一部若しくは全部であってもよいことが理解される）により指定される一つ以上の通信ネットワークを介して、例として限定でなくＧＳＭ、ＧＰＲＳ、ＥＤＧＥネットワーキング、Ｗｉ‐Ｆｉ若しくはＷｉＭａｘ（ＷｉＦｉアライアンスの登録商標）、及びＢＬＵＥＴＯＯＴＨ（Ｂｌｕｅｔｏｏｔｈ  ＳＩＧ，  Ｉｎｃ．の登録商標）を含む周知の通信プロトコルを用いて、通信し得る。これらのコンポーネント及びその関連部品の各々は当業者が本開示を作成し使用することを可能にするために十分に詳細に以下記載される。
【００１４】
図示の実施形態において、ウェアラブルデバイス２０２はオペレーティングシステム（ＯＳ）２１０、バッテリなどの電源２１２、上記のユーザデバイス２０４及び／又はデータ交換ネットワーク２０６との直接及び間接通信を可能にするための通信トランシーバ２１４（ｃｏｍｍ）、一つ以上のディスプレイ２１６、一つ以上のヘルスパラメータセンサ２１８、ウェアラブルデータベース２２０、及びサードパーティデータベース２２２を含む。その例が図６を参照して後述されるＯＳ２１０は、ウェアラブルデバイス２０２の全機能を制御するための任意の適切なオペレーティングシステムであり得る。通信トランシーバ２１４はＲＦアンテナ（不図示）、又はＩＲトランシーバといったデータの無線送受信を可能にする他のデバイス、並びに、直接及び／又は、とりわけ上記例を含むがそれらに限定されない、クラウド若しくはインターネット２０８を介して、ユーザデバイス２０４、データ交換ネットワーク２０６、及び／又は他のデバイスとの通信を提供するための任意の一つ以上の無線通信プロトコルをサポートする関連ハードウェア及びソフトウェアを含む。根本的に、選択プロトコルが下記様々な信号の無線通信を可能にする限り、いかなるタイプの無線通信プロトコルが通信トランシーバ２１４により利用され得るか、制限はない。各ディスプレイ２１６は、とりわけ液晶技術、発光ダイオード技術、電子ペーパー技術、音響技術、若しくは触覚技術、及びそれらの任意の組み合わせに基づくグラフィックディスプレイなど、任意の適切なタイプのディスプレイであり得る。各センサ２１８は、とりわけマイク、接点温度計、光学温度計、圧力センサ、及び湿度センサなど、上記一つ以上のヘルスパラメータタイプの示度を取得するための任意の適切なセンサであり得る。ウェアラブルデータベース２２０は、センサ２１８を用いて収集される生データ及び／又は生データの処理バージョンなど、一般的に上述されたパーソナルヘルスパラメータデータを保存し、並びにとりわけ、かかる生データ及び／又は処理データが取得された日／時間など、それに関する他のデータ、及びそれに関するデータ共有設定（より詳細に後述される）を含み得る。サードパーティデータベース２２２は、より詳細に後述される通り、サードパーティデータユーザについての情報、例えばそのアイデンティティ、提供されるインセンティブ、データユーザの各ネットワークに関する情報、及びデータユーザに関する他の情報を保存する。ウェアラブルデータベース２２０とサードパーティデータベース２２２はリレーショナルデータベースプロダクト、又は、ウェアラブルデバイス２０２のシステムアーキテクチャ例を描く図６を参照してより詳細に後述されるような従来のデバイスストレージ上でのデータの保存を制御するためのデータ管理ソフトウェアであり得ることが理解されるものとする。
【００１５】
ウェアラブルデバイス２０２は、ウェアラブルデバイスの様々な機能のオペレーションを制御し、ユーザがソフトウェアとインタラクションしてかかるデータ交換システムのデータ交換機能を制御する様々な選択及び／又は他の入力を作成することを可能にする、様々なＧＵＩを一つ以上のディスプレイを介して提供する、様々なソフトウェアモジュールも含む。この実施例において、ウェアラブルデバイス２０２はベースソフトウェア２２４、データ交換ソフトウェア２２６、及びデータフラッギングソフトウェア２２８を含み、ベースソフトウェア２２４に制御されそれと通信する利用ＧＵＩ２３０、ベースソフトウェア２２４に制御されそれと通信するルールＧＵＩ２３２、ベースソフトウェア２２４に制御されそれと通信するフラグデータＧＵＩ２３４、ベースソフトウェア２２４に制御されそれと通信するデータ分析ＧＵＩ２３６、ベースソフトウェア２２４に制御されそれと通信するデータ交換ＧＵＩ２３８を提供する。これら特徴の各々は本明細書で簡潔に記載され、詳細な実施例は様々な図面と併せて以下で提示される。上記ソフトウェアモジュールだけでなく、下記の通り他のソフトウェアモジュールも、かかるソフトウェアが実行されるコンピュータデバイスと関連する下記オペレーティングシステムのいずれかと適合する任意のソフトウェア言語で書かれ得る。かかるソフトウェア言語の例は、限定されないが、Ｊａｖａ、Ｃ、Ｃ＋＋、Ｐａｓｃａｌ、Ｖｉｓｕａｌ  Ｂａｓｉｃ、及びＰｅｒｌを含む。後続する記載において、特定機能は特定ソフトウェアモジュールにより実行されるものとして記載されるが、かかる機能はソフトウェアコードの一つ以上のより大きなモジュールに組み合わされ得ることが理解されるものとする。
【００１６】
ベースソフトウェア２２４はセンサ２１８から示度を取得してウェアラブルデータベース２２０に示度を保存し、（例として限定でなく）データ交換ソフトウェア２２６、データフラッギングソフトウェア２２８、利用ＧＵＩ２３０、ルールＧＵＩ２３２、フラグデータＧＵＩ２３４、データ分析ＧＵＩ２３６、及びデータ交換ＧＵＩ２３８など、本開示の他のソフトウェアとＧＵＩの実行を開始する。一部の実施形態において、ベースソフトウェア２２４は生データの様々な操作及び処理、並びにディスプレイ２１６を介して、又は通信トランシーバ２１４を介してアクセス可能なユーザデバイス２０４若しくは他のデバイス（不図示）など、別のデバイス上のディスプレイなどを介して、ユーザへ生データの可視化を提供することなど、追加機能も提供し得る。データ交換ソフトウェア２２６は、より詳細に後述される通り、ユーザとデータユーザ間のデータ交換機能の様々なオペレーションを制御する。データフラッギングソフトウェア２２８は、一つ以上のインセンティブと引き換えにユーザのパーソナルヘルスパラメータデータを受け取るデータユーザなどによる、ウェアラブルデバイス２０２とユーザデバイス２０４の外でのデータ利用を制御し得る一つ以上のフラグとともにパーソナルヘルスパラメータデータをユーザが"パッケージ"することを可能にする。フラグとフラグ設定の例は以下に記載される。
【００１７】
利用ＧＵＩ２３０は、その全てが最大限の柔軟性のためにヘルスパラメータタイプによりなされ得る、セットアップデータユーザ設定及びインセンティブ設定（まとめて"ルール"ともよばれる）、セットアップフラグ、並びにロック及びアンロックデータなど、様々なデータディスプレイ及び共有設定をユーザが制御することを可能にするハイレベルインターフェースを提供する。利用ＧＵＩ２３０の構造とオペレーション及び関連制御信号は図３を参照してより詳細に後述される。ルールＧＵＩ２３２は、とりわけヘルスパラメータタイプによるアクセス許可を与えるデータユーザ設定、及びインセンティブタイプによるアクセス許可を与えるインセンティブ設定を含む、様々なルールをユーザが設定することを可能にする。ルールＧＵＩ２３２の構造とオペレーション及び関連制御信号は図４を参照してより詳細に後述される。フラグデータＧＵＩ２３４は、とりわけ自動消去フラグ、データ匿名化フラグ、及びデータ暗号化フラグなど、セキュリティ設定に関する様々なデータ共有設定をユーザが設定することを可能にする。フラグデータＧＵＩ２３４の構造とオペレーション及び関連制御信号は図５を参照してより詳細に後述される。データ分析ＧＵＩ２３６はユーザのデータと引き換えにデータ分析を提供するインセンティブに基づくサードパーティからのデータ利用要求をユーザが承認することを可能にする。かかるデータ分析は一般に利用可能な統計及びグラフィック分析ツールに基づき、代替実施形態では他のユーザからの類似データ若しくはユーザからの前のデータとのユーザのデータの比較、又は他の比較分析を含み得る。データ分析ＧＵＩ２３６の構造とオペレーション及び関連制御信号は図７を参照してより詳細に後述される。同様に、データ交換ＧＵＩ２３８はインセンティブが特定タイプ（トークン、報酬ポイント、若しくは他の経済的インセンティブなど）であることに基づくサードパーティからのデータ利用要求をユーザが承認することを可能にする。データ交換ＧＵＩ２３８の構造とオペレーション及び関連制御信号は図８を参照してより詳細に後述される。それぞれデータ分析ＧＵＩ２３６及びデータ交換ＧＵＩ２３８を介して受信されるデータ分析情報及びデータ交換情報など、データの交換に関する情報もウェアラブルデバイス２０２内のサードパーティデータベース２２２に保存され得る。
【００１８】
ユーザデバイス２０４は、とりわけ電源２５８、オペレーティングシステム２６０、及び通信トランシーバ２６２を含む、スマートフォン、タブレットコンピュータ、デスクトップコンピュータ、クラウドコンピューティングデバイスなどといった、ユーザに個人的な任意の適切なユーザデバイスであり得る。ユーザデバイス２０４について全体のアーキテクチャのより詳細な実施例が図１４を参照して後述される。電源２５８はバッテリ若しくはライン電源など、任意の適切な電源であり得る。オペレーティングシステム２６０は、ｉＯＳ（登録商標）オペレーティングシステム、Ｍａｃ  ＯＳ（登録商標）オペレーティングシステム、Ａｎｄｒｏｉｄ（登録商標）オペレーティングシステム、ＷｉｎｄｏｗｓＰｈｏｎｅ（登録商標）オペレーティングシステム、Ｗｉｎｄｏｗｓ（登録商標）オペレーティングシステム、Ｌｉｎｕｘ（登録商標）オペレーティングシステムなどといった、問題のデバイスに適した任意のオペレーティングシステムであり得る。通信トランシーバ２６２は通信トランシーバ２１４について上記した通りＲＦアンテナと関連ハードウェア及びソフトウェアを含み、上記のような無線プロトコルだけでなくとりわけＥｔｈｅｒｎｅｔプロトコルなどの一つ以上の有線プロトコルもサポートし得る。ユーザデバイス２０４は、冗長若しくは非冗長方式で、ウェアラブルデバイス２０２に対する上記データ交換機能の一部若しくは全部を提供するウェアラブルソフトウェアアプリケーション２４０も含み得る。一部の実施形態において、上記データ交換機能の全部はウェアラブルデバイス２０２上のみに存在し得る。他の実施形態において、上記データ交換機能の全部はユーザデバイス２０４上のみに存在し得る。なお他の実施形態において、上記データ交換機能の一部（単に例として、利用ＧＵＩ２３０、ルールＧＵＩ２３２、フラグデータＧＵＩ２３４、データ分析ＧＵＩ２３６、及びデータ交換ＧＵＩ２３８の一つ以上など）はウェアラブルデバイス２０２上のみに存在し得るが、上記データ交換機能のその他の部分（単に例として、ベースソフトウェア２２４、データ交換ソフトウェア２２６、データフラッギングソフトウェア２２８、サードパーティデータベース２２２、及びウェアラブルデータベース２２０の一つ以上など）はユーザデバイス２０４上のみに存在し得る。現在のウェアラブル技術デバイスは典型的に、とりわけプログラミング、長距離データ／音声通信、及び／又はデータソーシング及び操作のためによりロバストなコンピュータデバイスとのインタラクションを要するので、ユーザデバイス２０４は部分的に図示されることが留意される。しかしながら将来のウェアラブルデバイスはかかる"テザリング"を要しないかもしれない。従って、代替実施形態においてユーザデバイス２０４に関して記載した機能の全部はウェアラブルデバイス２０２に含まれてもよく、ユーザデバイス２０４は全く含まれなくてもよい。
【００１９】
データ交換ネットワーク２０６はこの実施例において、図１４を参照してより詳細に後述される通りサーバ、ワークステーション、若しくは他のコンピュータデバイス上で実行するソフトウェアによりイネーブルされる。データ交換ネットワーク２０６は、（他のインセンティブの中でも、より詳細に後述される通り）トークンインセンティブ及びデータ分析インセンティブを提供することが可能なソフトウェアを含み、それに対応してユーザのパーソナルヘルスパラメータデータと引き換えにそれぞれトークンとデータ分析情報をユーザへ出すトークンソフトウェア２４２とデータ分析ソフトウェア２４４を含む。代替実施形態では、とりわけフリーソフトウェアアプリをユーザへ提供するというインセンティブをサポートするソフトウェアなど、トークン若しくはデータ分析以外のインセンティブのタイプに対して他のタイプのインセンティブ操作ソフトウェアが提供される。データ交換ネットワーク２０６は交換データベース２４６も含み、これはとりわけインセンティブ、インセンティブを提供するためのルール、参加サードパーティについての情報、参加ユーザについての情報、及びユーザデータを分析するためのパラメータを含み得る。当業者は交換データベース２４６が、クラウド若しくはインターネット２０８を介して、適切なアプリケーションプログラミングインターフェース（ＡＰＩ）２５６若しくは他の適切なユーザインターフェースを用いて、ウェアラブルデバイス２０２及びユーザデバイス２０４のユーザだけでなく、例として医師（医師ネットワーク２４８を介して）、ジム（ジムネットワーク２５０を介して）、レストラン（レストランネットワーク２５２を介して）、及びビッグデータユーザ（ビッグデータネットワーク２５４を介して）を含むデータユーザも含む、適切なパーティにより追加投入され得ることを容易に理解するだろう。
【００２０】
データ交換ネットワーク２０６は"ネットワーク"であるとして記載されるが、一部の他の実施形態では、データ交換"ネットワーク"２０６はクラウドコンピューティング環境で実行するサーバ若しくはバーチャルマシンなどの単一デバイスを構成し得ることが明らかであろう。同様に、一部の実施形態において、医師ネットワーク２４８、ジムネットワーク２５０、レストランネットワーク２５２、及びビッグデータネットワーク２５４の一つ以上はそれぞれ単一デバイスを構成し得る。
【００２１】
ハイレベルでの上記図２のデータ交換システム２００とともに、再度図１が参照され、これは図２のデータ交換ソフトウェア２２６により実行され得る、ユーザにより装着されるウェアラブルデバイスにより収集されるパーソナルヘルスパラメータデータを共有する方法１００を示す。図１に見られる通り、ステップ１０５において、データ交換ソフトウェア２２６は、一つ以上のセンサ２１８オンボードウェアラブルデバイス２０２により収集される特定のヘルスパラメータタイプのパーソナルヘルスパラメータデータ（例えば上記の通り脈拍、温度、心拍、及び他のパーソナルヘルスパラメータデータの一つ以上）に対するデータ共有設定を受信する。ステップ１１０において、データ交換ソフトウェア２２６は、ウェアラブルデバイス２０２により収集されるヘルスパラメータタイプのパーソナルヘルスパラメータデータを、その特定のパーソナルヘルスパラメータデータに適用可能なデータ共有設定に従って、権限を与えられたデータユーザと共有する。ステップ１１５において、かかる共有されるパーソナルヘルスパラメータデータと引き換えにインセンティブがデータ交換ソフトウェア２２６を介して受信され、ステップ１２０において、データ交換ソフトウェア２２６は受信したインセンティブをユーザへ表示する。当業者は本開示全体を読むことで、これらのステップが典型的に、とりわけ、データ交換システム２００内に存在する場所にかかわらず適切なデータ交換ソフトウェア２２６により実行され、実行されることができることを容易に理解するだろう。簡単に述べた図１のハイレベル方法とともに、読者が本開示の様々な態様をさらに理解することを助ける具体的実施例が説明される。
【００２２】
図示されないが、システム例２００における様々なデバイス２０２、２０４、２０６は、各々本明細書に記載の機能を実行する一つ以上のプロセッサなどのハードウェアを含むことが明らかであろう。本明細書で使用される通り、"プロセッサ"という語は、例えばマイクロプロセッサ、フィールドプログラマブルゲートアレイ（ＦＰＧＡ）、特定用途向け集積回路（ＡＳＩＣ）、並びに、ウェアラブルデバイス２０２、サーバ２５２、若しくは他のデバイスにより実行される本明細書に記載の様々な機能を実行可能な他のハードウェアデバイスなど、様々なハードウェアデバイスを包含すると理解される。付加的に、デバイス２０２、２０４、２０６は様々なソフトウェア、ＧＵＩ命令、及び本明細書に記載のデータベースを保存するメモリデバイス（不図示）を含み得る。かかるメモリデバイスはＬ１／Ｌ２／Ｌ３キャッシュ、システムメモリ、若しくはストレージデバイスなどの様々なデバイスを含み得る。本明細書で使用される通り、"非一時的マシン可読記憶媒体"という語は、揮発性メモリ（例えばＳＲＡＭとＤＲＡＭ）及び不揮発性メモリ（例えばフラッシュ、磁気、及び光学メモリ）デバイスの両方をあらわすが、単なる一時信号を除くと理解される。様々な機能を"実行する"ソフトウェア若しくは命令に関して様々な実施形態が本明細書で記載され得るが、かかる機能は実際には問題になっているソフトウェア若しくは命令を実行するプロセッサなどのハードウェアデバイスにより実行されることが理解される。一つ以上のＡＳＩＣを利用する実施形態など、一部の実施形態において、本明細書に記載の様々な機能はハードウェアオペレーションへハードワイヤードされ得る；かかる実施形態において、かかる機能に対応するソフトウェア若しくは命令は省略され得る。
【００２３】
図３は図２のウェアラブルデバイス２０２のベースソフトウェア２２４の利用ＧＵＩ２３０のスクリーンショット例３００を例示する。図３の利用ＧＵＩ２３０はハイレベル形式で提示される；実際に、図３の利用ＧＵＩ（並びに本開示の様々な図面で描かれる他の全ＧＵＩ）は、背景色、カラー表示及びアイコン、点滅表示及びアイコン、プルダウン若しくはスクロールダウンメニューなどといった、かかるディスプレイの美的及び機能的側面を向上させる複数の既知のグラフィック要素の任意の一つを含み得る。図３において、利用ＧＵＩ２３０は三つのヘルスパラメータタイプ、Ａｃｔｉｖｉｔｙ  ３０４、Ｈｅａｒｔ  Ｒａｔｅ  ３０８、及びＴｅｍｐ（ｅｒａｔｕｒｅ）３１２を表示する。特定のヘルスパラメータタイプが図３に表示されるが、利用ＧＵＩ２３０は他の、若しくは付加的な、他のヘルスパラメータタイプのパーソナルヘルスパラメータデータを、例として限定ではなく、血圧、発汗、心音、肺呼吸音、及び他のオーディオなどを表示し得ることが理解されるものとする。描かれるヘルスパラメータタイプの各々についてウェアラブルデバイス２０２のセンサ２１８により収集されるデータはパラメータ対時間の対応グラフによりあらわされる。代替実施形態において収集されるパーソナルヘルスパラメータデータは、数、傾向データ、バーチャート、及びデータを描画若しくは表示するための複数の他の既知の技術の任意の一つなど、他の技術を用いて表示され得る。
【００２４】
ユーザコントロールのセット、ここでは"Ｒｕｌｅｓ"ソフトボタン３１６、"Ｆｌａｇ  ｄａｔａ"ソフトボタン３２０、及び"Ｕｎｌｏｃｋ  Ｄａｔａ"／"Ｌｏｃｋ  Ｄａｔａ"ソフトボタン３２４が、対応データのロック状態に対応するロック状態アイコン３２８と一緒に、図３の各グラフに付随する。"ソフトボタン"は、（タッチ、電子ペン若しくはマウスなどのポインティングデバイスにより、又は他の方法などで）ユーザにより選択されるときに指定データを表示させる若しくは指定オペレーションを生じさせるＧＵＩのエリアである。ユーザが"Ｒｕｌｅｓ"ソフトボタン３１６のいずれかを選択するとき、ベースソフトウェア２２４はデバイス２０２にフラグデータＧＵＩ２３４を表示させる（図５を参照してより詳細に後述される）。各"Ｕｎｌｏｃｋ  Ｄａｔａ"／"Ｌｏｃｋ  Ｄａｔａ"ソフトボタン３２４は、ユーザが対応するパーソナルヘルスパラメータデータを"ロック"して、さもなければルールＧＵＩ２３２において設定されるルールを介してアクセスを可能にし得るいかなるデータ共有設定にもかかわらず、いかなるサードパーティデータユーザによってもアクセスされないようにし、かかるパーソナルヘルスパラメータデータを、ルールＧＵＩ２３２において設定されるデータ共有設定に従ってサードパーティデータユーザによりアクセスされ得るようにアンロックすることを可能にする。対応するロック状態アイコン３２８は見やすさのために"Ｕｎｌｏｃｋ  Ｄａｔａ"／"Ｌｏｃｋ  Ｄａｔａ"ソフトボタン３２４により制御されるロック状態を表示する。図３に図示の実施例では、Ａｃｔｉｖｉｔｙ  ３０４データについて、"Ｕｎｌｏｃｋ  Ｄａｔａ"／"Ｌｏｃｋ  Ｄａｔａ"ソフトボタン３２４は"Ｕｎｌｏｃｋ  Ｄａｔａ"に設定され、対応アイコンはこのデータがロックされていないことを示す。
【００２５】
図４は図２のデバイス２０２のベースソフトウェア２２４のルールＧＵＩ２３２のスクリーンショット例４００を例示する。このスクリーンショットにおいて、ルールＧＵＩ２３２はユーザが収集データをロック及びアンロックすることを可能にする"Ｙｅｓ"及び"Ｎｏ"ソフトボタン４０４及び４０８をそれぞれ含む。これは図３に対する上記"Ｕｎｌｏｃｋ  Ｄａｔａ"／"Ｌｏｃｋ  Ｄａｔａ"ソフトボタン３２４への冗長機能である。ルールＧＵＩ２３２は、どのサードパーティ、若しくはどのタイプのサードパーティが所与のヘルスパラメータタイプの対応パーソナルヘルスパラメータデータへのアクセスを許可されているかを示す、データユーザ設定を含むデータ共有設定をユーザが設定することを可能にする。図４は、個々に駆動され得る対応する各ソフトボタンセレクタ４１２を持つ個々の受信者"Ｇｙｍ"、"Ｒｅｓｔａｕｒａｎｔｓ"、"Ｄｏｃｔｏｒ"及び"Ｂｉｇ  Ｄａｔａ  Ｃｏｍｐａｎｙ"を描くが、他の受信者が指定され得ることが理解されるものとする。代替実施形態において受信者は共通特徴を共有する受信者のグループとしてリストされ得る。かかる共通特徴はビジネスのタイプであり得る。例として限定でなく、かかるグループは"Ｍｅｄｉｃａｌ  Ｐｒｏｖｉｄｅｒｓ"（これはグループとしてイネーブルされ得る、及び／又は、"Ｄｏｃｔｏｒ"、"Ｈｏｓｐｉｔａｌ"、"Ｐｈｙｓｉｃａｌ  Ｔｈｅｒａｐｙ"などといった個々の潜在的受信者若しくは受信者のグループをリストし得る）；"Ｐｈｙｓｉｃａｌ  Ａｃｔｉｖｉｔｙ  Ｐｒｏｖｉｄｅｒｓ"（これはグループとしてイネーブルされ得る、及び／又は、"Ｇｙｍ"、"Ｍａｌｌ  Ｗａｌｋｉｎｇ"、"Ｔｅｎｎｉｓ  Ｃｏｕｒｔｓ"などといった個々の潜在的受信者若しくは受信者のグループをリストし得る）；"Ｏｔｈｅｒ  Ｐｒｏｖｉｄｅｒｓ"（これはグループとしてイネーブルされ得る、及び／又は、"Ｒｅｓｔａｕｒａｎｔｓ"、"Ｓｔｏｒｅｓ"、"Ｇｒｏｃｅｒｙ  Ｓｔｏｒｅｓ"などといった個々の潜在的受信者若しくは受信者のグループをリストし得る）；並びに／或いは"Ｂｉｇ  Ｄａｔａ  Ｃｏｍｐａｎｉｅｓ"（これはグループとしてイネーブルされ得る、及び／又は、個々の潜在的受信者若しくは受信者のグループをリストし得る）であり得る。代替実施形態において、かかる受信者は特定個人を指名することにより指定され得る。例として限定でなく、"Ｄｏｃｔｏｒ"受信者設定の下で、個々の医師"Ｄｒ．Ｓｍｉｔｈ"、"Ｄｒ．Ｊｏｎｅｓ"が、パーソナルヘルスパラメータデータを個別に受信するように、又はそれらの関連ヘルスネットワークによるアクセスを可能にするためのプロキシとして、個別に指定され得る。例えば、"Ｄｒ．Ｓｍｉｔｈ"を指定することはＨＭＯ、病院、診療グループ、若しくはＤｒ．Ｓｍｉｔｈが関連する任意の他の医療グループ若しくは組織によるアクセスを可能にし得る。
【００２６】
ルールＧＵＩ２３２は、所与のヘルスパラメータタイプのパーソナルヘルスパラメータデータを送信することと引き換えにユーザが受け入れる意思があるインセンティブ、又はインセンティブのタイプを指定するインセンティブ設定を確立することにより、インセンティブに関するデータ共有設定をユーザが指定することも可能にする。図４は、個々に駆動され得る対応する各ソフトボタンセレクタ４１６を持つ、上記の"Ｔｏｋｅｎｓ"、"Ｄａｔａ  Ａｎａｌｙｓｉｓ"、"Ａｐｐｓ"、及び"Ｍｏｔｉｖａｔｉｏｎ"などの具体的インセンティブを描く。他のインセンティブが提供されてもよい。代替実施形態においてインセンティブは共通特徴を共有する関連インセンティブのグループとしてリストされ得る。かかる共通特徴はインセンティブのタイプであり得る。例として限定でなく、かかるグループは"Ｆｉｎａｎｃｉａｌ  Ｉｎｃｅｎｔｉｖｅｓ"（これはグループとしてイネーブルされ得る、及び／又は、"Ｔｏｋｅｎ"、"Ｐａｙｍｅｎｔ"、"Ｒｅｗａｒｄ  Ｐｏｉｎｔｓ"などといった個々の潜在的インセンティブ若しくはインセンティブのグループをリストし得る）；"Ｕｓｅｒ  Ｄｅｖｉｃｅ  Ｉｎｃｅｎｔｉｖｅｓ"（これはグループとしてイネーブルされ得る、及び／又は、"Ａｐｐ"、"Ｄａｔａ  Ｓｔｏｒａｇｅ  Ｕｐｇｒａｄｅ"、"Ｓｍａｒｔｐｈｏｎｅ  Ｐｌａｎ  Ｕｐｇｒａｄｅ"などといった個々の潜在的インセンティブ若しくはインセンティブのグループをリストし得る）；"Ｄａｔａ  Ａｎａｌｙｓｉｓ  Ｉｎｃｅｎｔｉｖｅｓ"（これはグループとしてイネーブルされ得る、及び／又は、特定タイプのデータ分析など、個々の潜在的インセンティブ若しくはインセンティブのグループをリストし得る）；並びに／或いは"Ｍｏｔｉｖａｔｉｏｎａｌ  Ｉｎｃｅｎｔｉｖｅｓ"（これはグループとしてイネーブルされ得る、及び／又は、共有されるパーソナルヘルスパラメータデータへの改善から生じ得るユーザへの健康上の利点を示す、若しくは重要な進行中の健康調査への貢献など、かかる情報の収集におけるデータユーザの一般社会的利益若しくは目的を記述するなど、個々の潜在的インセンティブ若しくはインセンティブのグループをリストし得る）であり得る。
【００２７】
代替実施形態において、潜在的データユーザ、及び潜在的インセンティブをイネーブルするための前述のオプションの一方若しくは両方はヘルスパラメータタイプにより指定され得る。例として限定でなく、かかる実施形態においてルールＧＵＩ２３２は、活動データについて一つ、特定タイプの健康関連測定（心拍、温度、血圧など）について一つ以上、及び他の健康関連データ（オーディオなど）について一つ以上といった、各ヘルスパラメータタイプについて上記オプション及び設定の個別リストを含む。図４に図示の通り、データユーザ設定とインセンティブ設定に対する前述のオプションは"Ｈｅａｒｔ  Ｒａｔｅ  Ｓｅｎｓｏｒ  Ｄａｔａ"について説明される。ルールＧＵＩ２３２は、各ヘルスパラメータタイプについて、かかる設定が、それらが関連する対応パーソナルヘルスパラメータデータと同じ関係テーブル行で（又は他の関係で）保存されるように、ウェアラブルデータベース２２０においてこれらデータ共有設定をユーザが保存することを可能にする"Ｓａｖｅ  Ｒｕｌｅｓ"ソフトボタン４２０も含む。ボタン４２０はまたルールＧＵＩ２３２を閉じる。
【００２８】
図５は図２のウェアラブルデバイス２０２のベースソフトウェア２２４のフラグデータＧＵＩ２３４のスクリーンショット例５００を例示する。このスクリーンショットにおいて、フラグデータＧＵＩ２３４は、自動消去、データ匿名化、及びデータ暗号化などのセキュリティ設定に関するデータ共有設定をユーザが設定することを可能にする様々なソフトボタンを含む。図５に図示の通り、ユーザは図示の"Ａｃｔｉｖｉｔｙ  Ｄａｔａ"など、異なるヘルスパラメータタイプについてかかるフラグを設定するオプションを持つ。代替実施形態においてかかるフラグはかかるデータにアクセスするデータユーザのアイデンティティ若しくはタイプに応じて設定され得る。"Ａｕｔｏｍａｔｉｃ  ｄｅｌｅｔｉｏｎ"ソフトボタン５０４はデータユーザに伝送された後データが保持される期間をユーザが指定することを可能にする。このオプションはプルダウンメニューの形で若しくはテキスト入力用のオプションとして提示され得る。ユーザは、データがデータユーザへ送信された翌日に消去（若しくは無効に）されるよう、"１  Ｄａｙ"など、タイマーオプションを選択し得る。代替実施形態において、このタイマーオプションはウェアラブルデバイス２０２上でのかかるデータの初期保存時に開始してもよく、データがデータユーザへ伝送されるときに依存しない。代替実施形態において、このデータ消去オプションは図示の通り"Ｆｉｒｓｔ  Ｕｓｅ"ソフトボタン５０８など、付加的な、代替オプションも含んでもよく、それによりかかるデータユーザが送信後にかかるデータにアクセスしたことを示す情報が送信時にデータに含まれる若しくはデータと関連するアクセスログに入力されると、データが消去される。この具体的実施例では、これら二つの消去オプション（作成の翌日、データユーザによるアクセス時）は、どちらが最初に発生してもデータが消去されるように、図５に"ＯＲ"論理演算子５１０により示される通り選択肢である。他の、及び付加的な、消去オプションがイネーブルされ得る。代替実施形態では、例として限定でなくかかる"ＯＲ"論理演算子５１０がＡＮＤ関数、ＮＯＲ関数、若しくはプルダウンメニューから選択されるかかる他の倫理演算になり得るように、複数の消去オプション間で論理関数が制御され得る。
【００２９】
図５に図示の通り、"Ａｎｏｎｙｍｉｚｅ  Ｄａｔａ？"オプションディスプレイ５１２と、それぞれ対応する"Ｙｅｓ"及び"Ｎｏ"ソフトボタン５１４、５１６により示されるデータ匿名化は、ウェアラブルデータベース２２０に保存される際にパーソナルヘルスパラメータデータとともに含まれ得る識別情報（ユーザ若しくはユーザのウェアラブルデバイス２０２のいずれかを識別する）を、ランダムに生成される数字と置き換え、誰も交換されるパーソナルヘルスパラメータデータを特定ユーザと関連付けることができないようにすることを含み得る。代替実施形態において、かかるデータはいかなるＩＤデータがそれとともに保存され得るとしても単純に消去することにより匿名化され得る。代替実施形態において、これらデータ匿名化のための異なる方法は選択のためにユーザへ提示される。他の匿名化オプションがイネーブルされてもよい。データ暗号化機能は、"Ｅｎｃｒｙｐｔ  Ｄａｔａ？"オプションディスプレイ５１８と、それぞれ対応する"Ｙｅｓ"及び"Ｎｏ"ソフトボタン５２０、５２４により示される通り、安全でないネットワークを介したパーソナルヘルスパラメータデータの送信を許可しない、ＷＰ２レイヤ若しくは楕円曲線暗号など、任意の種類の暗号化であり得る。代替実施形態では、デジタル著作権管理（ＤＲＭ）セキュリティコンテナなど、他のセキュリティプロトコルが起動されパーソナルヘルスパラメータデータへ適用され得る。代替実施形態では、これらデータ暗号化（若しくはより広くデータ保護）のための異なる方法が、プルダウンメニューを介して若しくは他の方法で、選択のためにユーザへ提示され得る。フラグデータＧＵＩ２３４は、各ヘルスパラメータタイプについて、かかる設定が、それらが関連する対応パーソナルヘルスパラメータデータと同じ関係テーブル行で（又は他の関係で）、他のデータ共有設定と一緒に保存されるように、ウェアラブルデータベース２２０においてこれらセキュリティ設定をユーザが保存することを可能にする"Ｓａｖｅ  Ｆｌａｇｓ"ソフトボタン５２８も含む。ボタン５２８はまたフラグデータＧＵＩ２３４を閉じる。
【００３０】
図６は図２のウェアラブルデバイス２０２を実装するために使用され得るウェアラブルコンピュータデバイス例６００のブロック図である。図示の通り、コンピュータデバイス６００はメモリインターフェース６０４、一つ以上のデータプロセッサ、画像プロセッサ及び／又は中央処理ユニット６０８、及び周辺インターフェース６１２を含み得る。メモリインターフェース６０４、一つ以上のプロセッサ６０８、及び／又は周辺インターフェース６１２は個別コンポーネントであり得るか、又は一つ以上の集積回路に統合され得る。コンピュータデバイス６００における様々なコンポーネントは一つ以上の通信バス若しくは信号線により結合され得る。
【００３１】
センサ、デバイス、及びサブシステムは一つ以上の機能を促進するために周辺インターフェース６１２へ結合され得る。例えば、モーションセンサ６１６、光センサ６２０、及び近接センサ６２４が、配向、照明、及び／又は近接機能を促進するために周辺インターフェース６１２へ結合され得る。全地球的航法衛星システム（ＧＮＳＳ）（例えばＧＰＳレシーバ）、温度センサ、バイオメトリックセンサ、及び／又は一つ以上の他のセンシングデバイスなど、他のセンサ６２８も、関連機能を促進するために周辺インターフェース６１２へ接続され得る。
【００３２】
カメラサブシステム６３２（図６の"Ｃ．Ｓ．Ｓ"）と光学センサ６３６、例えば電荷結合素子（ＣＣＤ）若しくは相補型金属酸化膜半導体（ＣＭＯＳ）光学センサが、画像及び／又はビデオの記録など、カメラ機能を促進するために利用され得る。カメラサブシステム６３２と光学センサ６３６は、例えば顔認識分析を実行することにより、ユーザの認証中に使用されるユーザの画像を収集するために使用され得る。
【００３３】
通信機能は、高周波受信器と送信器及び／又は光学（例えば赤外線）受信器と送信器を含み得る、一つ以上の無線通信サブシステム６４０（図６の"Ｗ．Ｃ．Ｓ．Ｓ．"）を通じて促進され得る。通信サブシステム６４０の具体的な設計と実施は、コンピュータデバイス６００が作動することが意図される通信ネットワークに依存し得る。例えば、コンピュータデバイス６００はＧＳＭネットワーク、ＧＰＲＳネットワーク、ＥＤＧＥネットワーク、Ｗｉ‐Ｆｉ若しくはＷｉＭａｘ（ＷｉＦｉアライアンスの登録商標）、及びＢＬＵＥＴＯＯＴＨ（Ｂｌｕｅｔｏｏｔｈ  ＳＩＧ，Ｉｎｃ．の登録商標）上で作動するように設計される通信サブシステム６４０を含み得る。特に、無線通信サブシステム６４０は、一つ以上のデバイス６００が他の無線デバイスのための基地局として構成され得るようにホスティングプロトコルを含み得る。
【００３４】
オーディオサブシステム６４４は、話者認識、音声複製、デジタル記録、及び／又は電話機能など、音声対応機能を促進するためにスピーカ６４８とマイク６５２へ結合され得る。オーディオサブシステム６４４は音声コマンド処理、声紋鑑定、及び音声認証を促進するように構成され得る。
【００３５】
Ｉ／Ｏサブシステム６５６はタッチ画面コントローラ６６０及び／又は他の入力コントローラ６６４を含み得る。タッチ画面コントローラ６６０はタッチ画面６６８へ結合され得る。タッチ画面６６８とタッチ画面コントローラ６６０は例えば、容量、抵抗、赤外線、及び／又は表面音響波技術を含むがそれらに限定されない、複数のタッチセンサ技術の任意の一つ以上、並びにオプションとしてタッチ画面６６８との一つ以上の接触点を検出するための他の近接センサアレイ及び／又は他の素子を用いて、接触及び動き若しくはその欠如を検出し得る。
【００３６】
他の入力コントローラ６６４が、一つ以上のボタン、ロッカースイッチ、サムホイール、赤外線ポート、ＵＳＢポート、及び／又はスタイラスなどのポインタデバイスといった、他の入力／制御デバイス６７２へ結合され得る。一つ以上の関連ボタン若しくは他のコントロール（不図示）はスピーカ６４８及び／又はマイク６５２のボリューム及び／又は振幅制御のためのアップ／ダウンボタンの一つ以上のセットを含み得る。同一若しくは同様のボタン若しくは他のコントロールを用いて、ユーザは、ユーザがデバイス６００に音声コマンドを実行させるコマンドをマイクに向かって話すことを可能にする、音声制御、若しくは音声コマンド、モジュールを駆動し得る。ユーザは一つ以上のボタン若しくは他のコントロールの機能をカスタマイズし得る。タッチ画面６６８は例えば、バーチャル若しくはソフトボタン及び／又はキーボードを実装するためにも使用され得る。
【００３７】
一部の実施例において、コンピュータデバイス６００はＭＰ３、ＡＡＣ、及び／又はＭＰＥＧファイルなどの記録済オーディオ及び／又はビデオファイルを提示し得る。一部の実施例において、コンピュータデバイス６００は、ｉＰｏｄ（登録商標）などのＭＰ３プレーヤの機能を含み得る。コンピュータデバイス６００は従って、関連ｉＰｏｄ（登録商標）ハードウェアと互換性のある３６ピンコネクタを含み得る。他の入力／出力及び制御デバイスも使用され得る。
【００３８】
図示の通り、メモリインターフェース６０４は一つ以上のタイプのメモリ６７６へ結合され得る。メモリ６７６は、一つ以上の磁気ディスクスストレージデバイス、一つ以上の光学ストレージデバイス、及び／又はフラッシュメモリ（例えばＮＡＮＤ、ＮＯＲ）といった、高速ランダムアクセスメモリ及び／又は不揮発性メモリを含み得る。メモリ６７６はＤａｒｗｉｎ（登録商標）、ＲＴＸＣ、ＬＩＮＵＸ（登録商標）、ＵＮＩＸ（登録商標）、ＯＳ  Ｘ（登録商標）、ＷＩＮＤＯＷＳ(登録商標)、及び／又はＶｘＷｏｒｋｓ（登録商標）などの埋込オペレーティングシステムといったオペレーティングシステム６８０を保存し得る。オペレーティングシステム６８０は基本システムサービスを操作するため及び／又はハードウェア依存タスクを実行するための命令を含み得る。一部の実施例において、オペレーティングシステム６８０はカーネル（例えばＵＮＩＸカーネル）を含み得る。さらに、一部の実施例において、オペレーティングシステム６８０は音声認証を実行するための命令を含み得る。
【００３９】
メモリ６７６は、一つ以上の追加デバイス、一つ以上のコンピュータ、及び／又は一つ以上のサーバとの通信を促進する通信命令６８２も保存し得る。付加的に若しくは代替的に、メモリ６７６は：グラフィックユーザインターフェース処理を促進するグラフィカルユーザインターフェース命令６８４；センサ関連処理及び機能を促進するセンサ処理命令６８６；電話関連プロセス及び機能を促進する電話命令６８８；電子メッセージ関連プロセス及び機能を促進する電子メッセージ命令６９０；ウェブブラウジング関連プロセス及び機能を促進するウェブブラウジング命令６９２；メディア処理関連プロセス及び機能を促進するメディア処理命令６９４；ＧＮＳＳ及びナビゲーション関連プロセス及び命令を促進するＧＮＳＳ／ナビゲーション命令６９６；並びに／或いはカメラ関連プロセス及び機能を促進するカメラ命令６９７を含み得る。メモリ６７６は他のプロセスと機能を促進する他のソフトウェア命令６９８を保存し得る。例えば、他のソフトウェア命令６９８はデバイス６００が装着されるときにユーザがとるステップを数えるための命令を含み得る。
【００４０】
メモリ６７６は、ウェブビデオ関連プロセス及び機能を促進するウェブビデオ命令、並びに／或いはウェブショッピング関連プロセス及び機能を促進するウェブショッピング命令など、他のソフトウェア命令（不図示）も保存し得る。一部の実施例において、メディア処理命令６９４はオーディオ処理関連プロセス及び機能とビデオ処理関連プロセス及び機能をそれぞれ促進するオーディオ処理命令とビデオ処理命令に分けられ得る。アクティベーションレコード及び国際携帯機器識別番号（ＩＭＥＩ）６９９若しくは同様のハードウェア識別子もメモリ６７６に保存され得る。
【００４１】
上記命令及びアプリケーションの各々は本明細書に記載の一つ以上の機能を実行するための命令のセットに対応し得る。これらの命令は必ずしも個別のソフトウェアプログラム、手順、若しくはモジュールとして実施される必要がない。メモリ６７６は追加命令若しくはより少ない命令を含み得る。さらに、コンピュータデバイス６００の様々な機能は、一つ以上の信号処理及び／又は特定用途向け集積回路を含む、ハードウェア及び／又はソフトウェアにおいて実施され得る。
【００４２】
図７は図２のウェアラブルデバイス２０２上のベースソフトウェア２２４のデータ分析ＧＵＩ２３６のスクリーンショット例７００を例示する。このスクリーンショットにおいて、サードパーティデータ要求者７０４（この場合"Ｂｉｇ  Ｄａｔａ  Ｃｏｍｐａｎｙ"）は分析のためにユーザのパーソナルヘルスパラメータデータ、ここではヘルスパラメータタイプ"Ａｃｔｉｖｉｔｙ  Ｄａｔａ"７０８及び"Ｈｅａｒｔ  Ｒａｔｅ  Ｄａｔａ"７１２のリクエストを出している。データ分析ＧＵＩ２３６は、それぞれ要求されたヘルスパラメータタイプ７０８、７１２と関連する対応する"Ｒｕｌｅｓ  ａｎｄ  Ｆｌａｇｓ"ソフトボタン７１６、７２０を介して、要求された各データタイプに対し、データユーザ設定とインセンティブ設定（"ｒｕｌｅｓ"）及びセキュリティ設定（ｆｌａｇｓ）をユーザがレビューし変更することを可能にする。その結果、ユーザは"Ａｃｃｅｐｔ  Ｒｅｑｕｅｓｔ？"ディスプレイオプション７３２と関連する"Ｙｅｓ"若しくは"Ｎｏ"ソフトボタン７２４及び７２８をそれぞれ用いてデータ要求を承認（若しくは拒否）する前に対応するルールとフラグへ任意の所望の修正を加え得る。このように、ユーザはいかなるデータもサードパーティ要求者へ送信される前にルール（図４に関して上記）とフラグ（図５に関して上記）を規定することができる。ユーザが"Ｙｅｓ"ソフトボタン７２４を選択する場合、データ交換ソフトウェア２２６は、ウェアラブルデバイス２０２がかかる要求されたヘルスパラメータタイプと関連するパーソナルヘルスパラメータデータを、データユーザ設定がかかるアクセスを許可することを条件として、並びにかかるパーソナルヘルスパラメータデータに適用可能なセキュリティ設定を条件として、データユーザへ送信させるよう、ベースソフトウェア２２４によりイネーブルされる。図７に図示の実施例において、活動データと心拍データを受信するためにビッグデータ会社により提供されるインセンティブは受信データに対するデータ分析を実行することである。このインセンティブオファーは、図８を参照して記載される通り、ユーザによる承認のためにデータ交換ＧＵＩ２３８を通じてなされる。このインセンティブオファーを承認するために、ユーザは"Ｂｉｇ  Ｄａｔａ  Ｃｏｍｐａｎｉｅｓ"からの要求を受けるように図４のルールＧＵＩ２３２のデータユーザ設定を設定し、"Ｄａｔａ  Ａｎａｌｙｓｉｓ"のインセンティブを承認するようにルールＧＵＩ２３２のインセンティブ設定を設定する。データディスプレイエリア７３６、７４０はそれぞれ要求されたヘルスパラメータタイプ７０８、７１２に対応する送信されたパーソナルヘルスパラメータデータの表示を提供する（この場合活動及び心拍対時間のグラフとして）。それぞれデータディスプレイエリア７３６、７４０の各々の下に配置される、データ分析ディスプレイエリア７４４、７４８は、かかる共有されるパーソナルヘルスパラメータデータに対応するかかるデータユーザからのデータ分析を表示する。"Ｙｅｓ"ソフトボタン７２４を選択する前に、ディスプレイエリア７３６、７４０、７４４、７４８により占められる表示領域は、とりわけ空白であるか若しくは圧縮され得る。代替実施形態において��"Ｙｅｓ"ソフトボタン７２４の選択前はデータディスプレイ７３６、７４０のみがアクティブであり得る。データ分析ＧＵＩ２３６は、駆動されるときに要求されたヘルスパラメータタイプについての追加データ及び／又は分析情報をユーザが見ることを可能にする"Ｓｅｅ  ｍｏｒｅ"ソフトボタン７５２も含む。
【００４３】
図８は図２のウェアラブルデバイス２０２上のベースソフトウェア２２４のデータ交換ＧＵＩ２３８のスクリーンショット例８００を例示する。このスクリーンショットにおいて、サードパーティデータユーザ８０４（この場合、"Ｇｙｍ"）は所与のヘルスパラメータタイプのユーザのパーソナルヘルスパラメータデータ、ここでは"Ｔｅｍｐｅｒａｔｕｒｅ  Ｄａｔａ"８０８を要求している。図７のデータ分析ＧＵＩ２３６と同様に、データ交換ＧＵＩ２３８は対応する"Ｒｕｌｅｓ  ａｎｄ  Ｆｌａｇｓ"ソフトボタン８１２を介して要求された各ヘルスパラメータタイプに対してルールとフラグをユーザがレビューし変更することを可能にする。その結果、ユーザは"Ａｃｃｅｐｔ  Ｒｅｑｕｅｓｔ？"ディスプレイオプション８２４と関連する"Ｙｅｓ"若しくは"Ｎｏ"ソフトボタン８１６及び８２０をそれぞれ用いてデータ要求を承認（若しくは拒否）する前に対応するルールとフラグへ任意の所望の修正を加え得る。このように、ユーザはいかなるパーソナルヘルスパラメータデータもサードパーティデータユーザへ送信される前にルールとフラグを制御し得る。図８に図示の実施例において、ジムにより提供されるインセンティブはその施設で引き換え可能な無料ドリンク（"ｓｍｏｏｔｈｉｅ"）のトークン８２８を提供することである。このインセンティブは表示領域８３２において示される。このインセンティブを承認するために、ユーザは"Ｇｙｍ"からの要求を受けるように図４のＧＵＩ２３２のデータユーザ設定を設定し、"Ｔｏｋｅｎｓ"を受け取るようにインセンティブ設定を設定する。ユーザが"Ｙｅｓ"ソフトボタン８１６を選択する場合、ベースソフトウェア２２４はデータ交換ソフトウェア２２６に、任意の設定フラグ（図５に関して上記）と一緒に、任意の設定ルール（図４に関して上記）に従って、要求されたヘルスパラメータタイプ８０８と関連するユーザのパーソナルヘルスパラメータデータを送信させる。表示領域８３２はかかるサードパーティ要求者へデータを送信するためにユーザが既に"Ｙｅｓ"ソフトボタン８１６を選択した後にトークン８２８を表示する。"Ｙｅｓ"ソフトボタン８１６を選択する前、表示領域８３２は空白であるか、圧縮され得るか、又はとりわけインセンティブに対するインジケータ若しくはティーザを表示し得る。代替実施形態において、トークン８２８（若しくは任意の他の示されるインセンティブ）は、ハーフトーンで、又は提供されるインセンティブを承認済のインセンティブから区別する何らかの他の方法で提示され得る。他の代替実施形態において、承認済のインセンティブのディスプレイは提供されたインセンティブの表示が欠けた追加情報を含み得る。例えば、図８におけるトークン８２８のディスプレイに関して、承認前のかかるトークンのディスプレイはバーコード８３６を含まなくてもよく、承認されるとかかるトークンの対応するディスプレイはバーコード８３６を含み得る。この実施例において、データ交換ＧＵＩ２３８はユーザが後の検索及び／又は使用のためにインセンティブ（トークン８２８など）を保存することを可能にする"Ｓａｖｅ  Ｔｏｋｅｎ"ソフトボタン８４０も含む。
【００４４】
代替実施形態では、ディスプレイエリア８３２がトークン８２８若しくは何らかの他のインセンティブを表示することに加えて、要求するデータユーザからの"使用ステートメント"もディスプレイエリア８３２にあらわれ得る。世界中で、個人識別（若しくは他の個人的機密）データのデータプライバシーに関する法的基準があらわれている。こうしたプライバシー基準の少なくとも一部は、データユーザのアイデンティティ、何のデータがかかるデータユーザにより保持されるか、及び何の目的でかかる保持されるデータがかかるデータユーザにより使用されるかを、データユーザが示すことを要求する。こうした基準の一部は、データ提供者がかかる条件の下で要求されたデータを提供する意思を明確に示すことも要求する。図７及び８に図示の実施形態において、データユーザのアイデンティティは明示的に提供され（それぞれ７０４、８０４において）、要求されるヘルスパラメータタイプの識別も明示的に提供される（それぞれ７０８、７１２、８０８において）。この代替実施形態において、ディスプレイエリア８３２はかかる要求されたデータが使用される目的を述べる要求するデータユーザからのステートメントも含み得る。代替実施形態では、データユーザがかかるデータを他のデータユーザへ転送する権利を留保するかどうかといった、他の関連情報も含まれ得る。これら三つの情報で、かかる新たに出現するデータプライバシー基準が本明細書に記載のヘルスパラメータタイプとパーソナルヘルスパラメータデータに適用可能になり得る場合、この代替実施形態はユーザがかかる基準に従い得る方法で承認を示すことを可能にする。
【００４５】
一部の実施形態において、データユーザはウェアラブルデバイス装着者からのフィードバックを募り得るダイアログ（例えばポップアップウィンドウ、ＧＵＩ）を提供し得る。データユーザはこれらダイアログを使用して、彼らがヘルスパラメータデータを利用しようとする全用途を、例えば各用途の隣の選択可能オプション（例えばチェックボックス）で、明示し得る。ユーザは自分のヘルスパラメータデータが使用されない（又は使用される、場合によって）ことを望むそれら用途を選択し得る。このように、ウェアラブルデバイス２０２の装着者は、そのパーソナルデータがデータユーザにより提案される様々な目的のために使用されることをオプトイン若しくはオプトアウトし得る。一部の実施形態において、データユーザはその用途に優先度を与えるようにかかるダイアログを構成し得る。例えば、一部の用途は"必須（ｍｕｓｔ  ｈａｖｅｓ）"とみなされ得るが、他の用途は"できれば（ｌｉｋｅ  ｔｏ  ｈａｖｅ）"とみなされ得る。様々な実施形態において、ヘルスパラメータデータは一つ以上の"必須"用途がウェアラブルデバイス２０２の装着者により許可される場合のみ送信され得る。
【００４６】
当業者は図７及び８に関する上記実施例において、図３及び４に図示の"ロック"されたヘルスパラメータタイプ以外の全要求について、データユーザからの所与のヘルスパラメータタイプのパーソナルヘルスパラメータデータへのアクセス要求をユーザが受信し、特異的に応答することに留意するだろう。しかしながら、代替実施形態において、ユーザはかかる要求がベースソフトウェア２２４により自動的に受信及び承認されるよう、図４及び５のいわゆる"デフォルト"データ共有設定をプリセットし得ることが理解されるものとする。かかる実施形態において、ユーザはデータユーザからのオファーの受信前に、承認し得るインセンティブを承認し得るデータユーザと関連付け得る。例として限定でなく、図４を参照して、かかる代替実施形態においてルールＧＵＩ２３２は、ユーザが、所与のヘルスパラメータタイプについて、規定量を上回る任意の量、及び／又は特定タイプの価値若しくはサービスの規定量に対する"トークン"インセンティブを承認する意思を示し、かかるオファーが（例として限定でなく）特定レストラン／ジム、チェーン若しくは他の方法で関連するレストラン／ジム、又は全レストラン／ジムを含む"レストラン"及び"ジム"から自動的に承認されることを規定することができるようにし得る。これらの実施形態においてデータ交換ソフトウェア２２６はトークンインセンティブに基づいて他の全要求を自動的に拒否し得る。同様に、ユーザは（例として限定でなく）特定の会社、関連会社のセット、若しくは全データ分析会社を含む、選択されたヘルスパラメータタイプについて"ビッグデータ会社"からの"データ分析"インセンティブのみを受け入れることを規定し得る。これらの実施形態においてデータ交換ソフトウェア２２６はデータ分析インセンティブに基づいて他の全要求を自動的に拒否し得る。従って、インセンティブは追加のユーザ介入なしに提供され承認され得る。なお他の代替実施形態ではハイブリッドアプローチが使用され得、それによりユーザは所与のデータユーザ若しくは関連データユーザのグループからの所定値以上のトークン（若しくは他の事前選択インセンティブ）を自動的に承認し、自動的に拒否するのではなくトークン若しくは他の規定インセンティブに基づいて他の全要求について図７及び８に関して上記したプロセスに従うよう、ルールＧＵＩ２３２を設定し得る。一部の実施形態において、データユーザは、ウェアラブルデバイス２０２の装着者がその特定データユーザと関連する一つ以上の共有設定を変更するようインタラクションし得る（例えばウェアラブルデバイス２０２が最初に購入されるとき）というダイアログを提供し得る。
【００４７】
一部の実施形態において、共有設定は経時的に"学習"され得る。例えば、ウェアラブルデバイス２０２の装着者が特定データユーザからのインセンティブと引き換えにデータを共有するオファーを繰り返し承認すると仮定する。装着者が十分なオファーを受け入れる場合、特に装着者がそのデータユーザを決して拒否しない場合、共有設定はユーザ介入なしにそのデータユーザからの将来のオファーを自動的に承認するようアップデートされ得る（又は少なくとも、より目立つＧＵＩによりユーザがかかるオファーを承認しやすくする）。付加的に若しくは代替的に、ユーザが第一のインセンティブの全オファーを拒否するが第二のインセンティブの全オファーを受ける傾向がある場合、第一のインセンティブの将来のオファーは自動的に拒否され得、及び／又は第二のインセンティブの将来のオファーは自動的に承認され得る（又は少なくとも、より目立つＧＵＩによりユーザがかかるオファーを承認しやすくする）。
【００４８】
一部の実施形態では、所与のインセンティブオファーが承認されるべきかどうか決定するように一つ以上の機械学習分類器が訓練され得る。例えば訓練例は、例えばユーザがオファーを承認した場合、正例と、例えばユーザがオファーを拒否した場合、負例とラベルされるインスタンスの形で提供され得る。これら訓練例は各インスタンスと関連する"特徴"のベクトルの形をとり得る。限定されないがユーザの選好の一つ以上の属性、ユーザの一つ以上の属性、ヘルスパラメータデータを求めるデータユーザの一つ以上の属性、オファーがなされた背景の一つ以上の属性、求められるヘルスパラメータタイプ若しくはデータの一つ以上の属性、提供されるインセンティブの一つ以上の属性（例えばトークン対データ分析、トークンの値など）などを含む、様々な特徴が訓練例ベクトルに含まれ得る。
【００４９】
なお他の代替実施形態では、ベースソフトウェア２２４はデータユーザがそのインセンティブオファーを増やすことを可能にし得る。図７及び８に関して上記したプロセスに従って、所与のインセンティブが拒否される場合、データユーザは異なる、若しくはより価値のあるインセンティブを提供することにより、かかるプロセスを再開する能力を持つ。言い換えれば、かかる代替実施形態においてインセンティブオファーは静的でない。例えば、ユーザは特定ヘルスパラメータデータと引き換えに最初のインセンティブを提供され得る。ユーザがオファーを拒否する場合、場合によっては、ユーザはより価値があるとみなされるインセンティブを伴う別のオファーを提示され得る。これはユーザが最初のオファーを拒否した後、又はユーザからヘルスパラメータデータを募る別の機会が生じるときに直ちに起こり得る。一部の実施形態において、インセンティブを拒否したユーザへ提供する代替インセンティブを選択するとき、データユーザはそのユーザ（若しくはユーザ一般）が所望のヘルスパラメータデータについて以前に承認したインセンティブへの制限付きアクセスを与えられ得る。
【００５０】
図９はベースソフトウェア２２４がウェアラブルデバイス２０２に実行させる方法例９００を例示する。図２に関して上記した通り、代替実施形態においてこれら方法ステップの一部若しくは全部はユーザデバイス２０２上のソフトウェアにより実行され得る。この実施例において、ステップ９０５において、ベースソフトウェア２２４はセンサ２１８により検出されるパーソナルヘルスパラメータデータを取得するためにウェアラブルセンサ２１８をポーリングする。ステップ９１０において、ベースソフトウェア２２４はウェアラブルデバイス２０２にかかるデータを、かかるデータが関連するヘルスパラメータタイプの表示と一緒に、ウェアラブルデータベース２２０へ保存させる。ステップ９１５において、ベースソフトウェア２２４はウェアラブルデバイス２０２にディスプレイ２１６において利用ＧＵＩ２３０を表示させ、図３に関して上記した通りユーザがかかるデータを見て、データユーザによるアクセスを防止することを可能にする。ユーザが利用ＧＵＩ２３０の"Ｒｕｌｅｓ"ソフトボタン３１６を駆動する場合、ステップ９２０においてベースソフトウェア２２４はウェアラブルデバイス２０２にディスプレイ２１６においてユーザへルールＧＵＩ２３２（図４に関して記載）を表示させ、ユーザがデータユーザ設定とインセンティブ設定を含むデータ共有設定を設定することを可能にする。ユーザが利用ＧＵＩ２３０を介してデバイス２０２とインタラクションするときに"Ｆｌａｇｓ"ソフトボタン３２０を駆動する場合、ステップ９２５においてベースソフトウェア２２４はウェアラブルデバイス２０２にディスプレイ２１６においてユーザへフラグデータＧＵＩ２３４（図５に関して記載）を表示させ、ユーザがセキュリティ設定を含むデータ共有設定を設定することを可能にする。ステップ９３０において、ベースソフトウェア２２４はウェアラブルデバイス２０２にそれぞれ図４及び５に従って設定されるデータルールとデータフラグをウェアラブルデータベース２２０に保存させる。ステップ９３５において、ウェアラブルデバイス２０２はパーソナルヘルスパラメータ情報の受信のためのデータユーザからの要求を受信し、ベースソフトウェア２２４は図１０Ａに関してより詳細に後述されるデータ交換ルーチンを実行するようにデータ交換ソフトウェア２２６に指示する。ステップ９４０において、サードパーティがフラグ付きデータを要求する場合、ベースソフトウェア２２４は図１０Ｂから１０Ｃに関してより詳細に後述されるデータセキュリティルーチンを実行するようにデータフラッギングソフトウェア２２８に指示する。ステップ９４５において、ベースソフトウェア２２４はウェアラブルデバイス２０２に、適用可能な限り、データ分析ＧＵＩ２３６（図７に関して記載）とデータ交換ＧＵＩ２３８（図８に関して記載）の一方若しくは両方をディスプレイ２１６において表示させる。そして方法９００はステップ９０５においてウェアラブルセンサデータについてウェアラブルセンサ２１８をポーリングするステップへループバックし得る。
【００５１】
図１０Ａはデータ交換ソフトウェア２２６がウェアラブルデバイス２０２に実行させ得る方法例１０００の一部を例示し、図１０Ｂから１０Ｃはデータフラッギングソフトウェア２２８がウェアラブルデバイス２０２に実行するよう指示し得る（又は一部の場合、その後の実行のためにイネーブルする）方法例１０００の他の各部分を例示する。図２に関して上記した通り、代替実施形態においてこれら方法ステップの一部若しくは全部はユーザデバイス２０４上のソフトウェアにより実行され得る。図１０Ａを参照すると、ステップ１００３においてウェアラブルデバイス２０２はデータ交換ネットワーク２０６からデータ交換要求を受信する。ステップ１００５において、データ交換ソフトウェア２２６はウェアラブルデバイス２０２に、要求するデータユーザに適用可能な保存されたデータユーザ設定、及び要求されたヘルスパラメータタイプと同じ保存されたヘルスパラメータタイプを探して、ウェアラブルデータベース２２０を検索させる。ステップ１００７において、データ交換ソフトウェア２２６はウェアラブルデバイス２０２にかかる保存されたデータユーザ設定を読み出させ、図３及び４に関して上記した通り所与のヘルスパラメータタイプについて任意の潜在的データ送信をユーザが無効にしたかもしれないか否かを決定させる。その場合、ステップ１００９において、ウェアラブルデバイス２０２はかかる要求を拒否しプロセスは終了する。データアクセスが許可される場合、ステップ１０１１においてデータ交換ソフトウェア２２６（又は代替的にベースソフトウェア２２４）はウェアラブルデバイス２０２にディスプレイ２１６においてデータ交換ＧＵＩ２３８を表示させる。ステップ１０１３において、データ交換ソフトウェア２２６はユーザがかかるデータアクセス要求を承認若しくは拒否するか否かを示すユーザ入力をデータ交換ＧＵＩ２３８を介して受信する。ユーザがかかる要求を拒否する場合、ウェアラブルデバイス２０２はステップ１００９においてかかる要求を拒否し、プロセスは終了する。ユーザがかかる要求を承認する場合、ステップ１０１５においてデータ交換ソフトウェア２２６は任意のセキュリティ設定がかかる要求されたデータに当てはまるかどうか決定するためにウェアラブルデータベース２２０にクエリを行う。その場合、ステップ１０１７においてデータ交換ソフトウェア２２６（又は代替的にベースソフトウェア２２４）は、プロセス終点経路１（図１０Ｂにおけるステップ１０２５で開始するプロセス１０００の部分を開始する）において示される通り、データフラッギングソフトウェア２２８を呼び出す。要求されたデータがフラグ付きでない場合、ステップ１０１９においてデータ交換ソフトウェア２２６はウェアラブルデバイス２０２に通信トランシーバ２１４及びクラウド若しくはインターネット２０８を介してデータ交換ネットワーク２０６へ要求されたパーソナルヘルスパラメータデータを送信させる。このステップ１０１９は、以下でより詳述される通り、図１０Ｂに関して記載されるプロセス１０００の部分からプロセス終点経路２によっても開始され得ることに留意されたい。要求されたパーソナルヘルスパラメータデータをデータ交換ネットワーク２０６へ送信した後、ウェアラブルデバイス２０２はクラウド若しくはインターネット２０８及び通信トランシーバ２１４を介してデータ交換ネットワーク２０６から承認済インセンティブを受信する。ステップ１０２１において、データ交換ソフトウェア２２６はかかる受信したインセンティブをサードパーティデータベース２２２に保存させ、ステップ１０２３においてデータ交換ソフトウェア２２６はウェアラブルデバイス２０２に、適用可能な場合、ディスプレイ２１６において、データ交換ＧＵＩ２３８若しくはデータ分析ＧＵＩ２３６を介してかかるインセンティブを表示させ、かかるＧＵＩのうち適用可能な一つを介して入力された任意の後続ユーザコマンドに応答させる。プロセスはその後終了する。
【００５２】
図１０Ｂはウェアラブルデバイス２０２上のデータフラッギングソフトウェア２２８により実行され得る方法例１０００の部分を例示する。方法は図１０Ａに図示のプロセスからのプロセス終点経路１において開始する。ステップ１０２５において、データフラッギングソフトウェア２２８はウェアラブルデバイス２０２に要求されたパーソナルヘルスパラメータデータをウェアラブルデータベース２２０から読み出させる。ステップ１０２７において、データフラッギングソフトウェア２２８はウェアラブルデバイス２０２にかかる引き出されたデータと関連するセキュリティ設定を読み出させる。ステップ１０２９において、任意のフラグが読み出される場合、データフラッギングソフトウェア２２８はかかるウェアラブルデータ用の"ソフトウェアコンテナ"を作成する。一部の実施形態において、"ソフトウェアコンテナ"は、パッケージにバンドルされる、一つ以上のアプリケーション、加えてアプリケーションがその上で実行する必要がある全コード（例えばライブラリ、バイナリ、構成ファイル）を含むランタイム環境全体をあらわし得る。アプリケーションプラットフォーム及び全依存性をコンテナ化することにより、ウェアラブルデバイス２０２と、データ交換ネットワーク２０６若しくはユーザデバイス２０４などの他の環境との間のコンピュータ環境における差異が取り去られ得る。一部の実施形態において、ソフトウェアコンテナはコンピュータ環境間で交換され得るバーチャルマシン（例えばＯＳを含む）内でバンドルされる、上記アプリケーション及び依存性を含み得る。ソフトウェアコンテナはかかるパーソナルヘルスパラメータデータと関連するセキュリティ設定がいかなるアクティブフラグも含まない場合全く作成されなくてもよいことに留意されたい。その場合、かかるパーソナルヘルスパラメータデータは、統合データパケットを定義するように制御ヘッダにより互いにリンクされる一つ以上のデータパケットなど、任意の従来の形式で通信され得る。
【００５３】
次の三ステップはかかる引き出されたデータに適用可能なフラグデータＧＵＩ２３４を介してユーザが入力したセキュリティ設定に依存する。かかるステップの各々は、上述の通りかかる定義されたソフトウェアコンテナに追加ソフトウェアを追加する、図１０Ｃに関してより詳細に記載される、少なくとも一つの経路と関連する。第一のテストは、ステップ１０３１において、かかる関連パーソナルヘルスパラメータデータを自動的に消去するフラグをユーザが選択しているかどうか決定することである。Ｙｅｓの場合、データフラッギングソフトウェア２２８は、図５に図示の自動データ消去用のフラグに従ってデータ消去制御コードを生成する（図１０Ｃに関して下記）、プロセス終点経路Ａへ進み、ステップ１０３７に関して以下に記載される通りかかるソフトウェアコンテナへの追加のため、図１０Ｂにおける入力Ａ１としてかかる生成されたコードを提供する。Ｎｏの場合、データフラッギングソフトウェア２２８は、ユーザがかかるパーソナルヘルスパラメータデータを匿名化させることを選択しているかどうか決定する第二のテストである、ステップ１０３３へ進む。Ｙｅｓの場合、データフラッギングソフトウェア２２８は、図５に図示のデータ匿名化フラグに従って伝送されるかかるデータを匿名化するコードを作成する（図１０Ｃに関して下記）、プロセス終点経路Ｂへ進み、ステップ１０３７に関して以下に記載される通りかかるソフトウェアコンテナへの追加のため、図１０Ｂにおける入力Ｂ１としてこの結果を提供する。Ｎｏの場合、データフラッギングソフトウェア２２８は、ユーザがかかるパーソナルヘルスパラメータデータを暗号化することを選択しているかどうか決定する第三のテストである、ステップ１０３５へ進む。Ｙｅｓの場合、データフラッギングソフトウェア２２８は、図５に図示の暗号化フラグに従って伝送されるかかるデータを暗号化するコードを作成する（図１０Ｃに関して下記）、プロセス終点経路Ｃへ進み、ステップ１０３７に関して以下に記載される通りかかるソフトウェアコンテナへの追加のため、図１０Ｂにおける入力Ｃ１としてかかる生成されたコードを提供する。図１０Ｂでは三つの経路が図示されるが、代替実施形態では、上記異なる若しくは追加のセキュリティ設定に対応して、異なる若しくは追加の経路が含まれてもよいことが理解されるものとする。
【００５４】
ステップ１０３７においてデータフラッギングソフトウェア２２８はウェアラブルデバイス２０２に、自動消去用のかかる生成された全コード（適用可能な場合）、かかるデータを匿名化するコード（適用可能な場合）、かかるデータを暗号化するコード（適用可能な場合）を含む、かかるソフトウェアコンテナをウェアラブルデータベース２２０に保存させる。ステップ１０３９において、データフラッギングソフトウェア２２８はデータ交換ソフトウェア２２６に、ウェアラブルデータベース２２０からかかる結果として得られるソフトウェアコンテナを読み出させ、ソフトウェアコンテナに含まれる一部の若しくは全部のアクティブソフトウェアを実行させ、そして図１０Ａのステップ１０１９へプロセス終点経路２をたどる。前述の通り、セキュリティ設定若しくはフラグがイネーブルされない場合、ステップ１０３９においてパーソナルヘルスパラメータデータはソフトウェアコンテナと関連することなく、若しくはソフトウェアコンテナ内に入ることなく、提供され得る。
【００５５】
図１０Ｃはデータフラッギングソフトウェア２２８が実行し得る方法例１０００の続きであり、図１０Ｂに関して上記したステップ１０３１‐１０３５と関連する上述の三つの経路Ａ‐Ｃを例示する。経路Ａから開始して、ステップ１０４１においてデータフラッギングソフトウェア２２８は"データ自動消去"ソフトウェア命令をアクティベートし、その性質とオペレーションは経路Ａに沿って点線ボックス１０４３により示されるサブプロセスステップ１０４５‐１０５５を参照して記載される。当業者に容易に明らかになる通り、データフラッギングソフトウェア２２８は図１０Ｃに関して記載したオペレーションのいずれかについての任意のコードを必ずしも"作成"しない。むしろ、かかるコードはデータフラッギングソフトウェア２２８自体の中に非アクティブコードモジュールとして既に存在し得る。データフラグが読み出されると、データフラッギングソフトウェア２２８からのかかる非アクティブコードはデータフラグに従ってカスタマイズされ、下記の通り適用可能なセキュアコンテナへ追加され得る。下記ではこのプロセスは"アクティベーション"とよばれる。
【００５６】
図５の"自動消去"オプションに示される特定フラグの場合、ステップ１０４５においてデータフラッギングソフトウェア２２８は、タイマー若しくは時計を含む"タイマーコード"（不図示）、かかるタイマーを開始するコード（この場合、データがデータユーザへ送信されるときの時点）、かかるタイマーを終了するコード（この場合、開始から２４時間後）、タイマー状態をクエリするコード、及びかかるタイマーが終了したらかかる伝送されたデータを消去するコードをアクティベートする。ステップ１０４７においてデータフラッギングソフトウェア２２８は、アクセスログ（関連データファイルがメモリから読み出されるたびにインクリメントするカウンタを具体化するサブファイル）を含む"アクセスコード"（不図示）、かかるアクセスログの状態をクエリするコード、及びこのアクセスログがインクリメントするときにかかる伝送されたパーソナルヘルスパラメータデータを消去するコードもアクティベートする。かかるパーソナルヘルスパラメータデータがデータユーザへ伝送された後、ステップ１０４９においてこのタイマーコードは期限が切れているか否かを決定するためにかかるタイマーにクエリする。その場合、ステップ１０５１においてタイマーコードはかかる伝送されたデータを消去する。そうでない場合、ステップ１０５３においてアクセスコードはかかるデータがアクセスされているか否か決定し、その場合ステップ１０５１においてこのアクセスコードはかかる伝送されたデータを消去する。かかるタイマーが切れていないことをタイマーコードが示す場合、及びかかるデータユーザがかかるデータにアクセスしていないことをアクセスコードが示す場合、ステップ１０５５においてタイマーコードはステップ１０４９へ戻り、かかるタイマーが切れているか否か再度決定する。この記載されたタイマーコードとアクセスコードの作成後、データフラッギングソフトウェア２２８は図１０Ｂへ戻るプロセス終点経路Ａ１をたどる。
【００５７】
図１０Ｃの経路Ｂの場合、ステップ１０５７においてデータフラッギングソフトウェア２２８は、図５に図示のデータ匿名化フラグの状態に従って（点線ボックスにより示される）プロセス１０５８を呼び出すことにより、ソフトウェアコンテナへの挿入用のデータ匿名化ソフトウェアコードをアクティベートする。ステップ１０５９において、データフラッギングソフトウェア２２８はパーソナルヘルスパラメータデータに含まれ得るＩＤ情報の消去を引き起こす"ＩＤ消去コード"をアクティベートする。ステップ１０６１において、データフラッギングソフトウェア２２８は、伝送されるかかるデータから消去されたＩＤ情報が何であれ、同じ桁数を持つ乱数を作成する"乱数生成"コード（不図示）をアクティベートする。ステップ１０６３において、ＩＤ消去コードはかかる消去されたＩＤ情報の代わりにかかる乱数を保存し得る。前述の通り、代替実施形態においてこのプロセスは単純にウェアラブルデバイスＩＤを消去し得る。そしてデータフラッギングソフトウェア２２８は図１０Ｂに戻るプロセス終点経路Ｂ１をたどる。
【００５８】
図１０Ｃの経路Ｃの場合、ステップ１０６５においてデータフラッギングソフトウェア２２８は、（点線ボックスにより示される）プロセス１０６６を呼び出すことにより、伝送されるパーソナルヘルスパラメータデータを暗号化し、かかる暗号化データに関する暗号鍵を作成するコードをアクティベートする。この暗号化プロセスだけでなく、送信中にデータを保護する一つ以上のプロトコルを適用し得る他のプロセスも、図５の暗号化フラグの状態に応じて呼び出される。ステップ１０６７において、データフラッギングソフトウェア２２８は、かかる暗号化フラグにより決定される送信されるデータに適用される暗号化アルゴリズムを選択して、かかるデータを暗号化する"暗号化コード"（不図示）をアクティベートする。前述の通り、フラグデータＧＵＩ２３４は、例として限定でなくＷＰＡ２若しくは楕円曲線暗号を含む、そこから選択すべき暗号化法の選択肢をユーザへ提示し得る。ステップ１０６９において、データが送信されるとき、これはかかる暗号化コードにより暗号化される。
【００５９】
暗号化コードをアクティベートすることに加え、データフラッギングソフトウェア２２８は、データ交換ネットワーク２０６において及び／又はデータユーザにより操作されるデバイスにおいて実行され得る下記ステップをイネーブルする"暗号化制御コード"（不図示）もアクティベートする。かかるパーソナルヘルスパラメータデータが伝送された後、暗号化データがデータユーザによりアクセスされて読まれるとき、ステップ１０７１においてかかる暗号化制御コードはかかる暗号化データにアクセスするために暗号鍵を適用するようデータユーザに指示する。暗号鍵は暗号化アルゴリズムを用いるデータの復号と関連する鍵として当技術分野で周知である。ＲＳＡなどの暗号化アルゴリズムにおいて、このプロンプトは公開鍵を含み、それに対しデータユーザはウェアラブルデバイス２０２により個別に提供される秘密鍵を適用する必要がある。ステップ１０７３においてかかる暗号化制御コードはかかるデータユーザにより提供される暗号鍵が正確であるかどうか決定する。そうでない場合、ステップ１０７５においてかかる暗号化制御コードはかかる暗号化データを消去する。そうである場合、ステップ１０７７においてかかる暗号化制御コードは暗号化データを復号し、データユーザが送信されたパーソナルヘルスパラメータデータの非暗号化表現を見ることを可能にする。図１０Ｂへ戻るプロセス終点経路Ｃ１をたどることにより、そして上記暗号化コードと暗号化制御コードはデータフラッギングソフトウェア２２８により提供される。
【００６０】
図１１は図２のデータ交換ネットワーク２０６上で実行するトークンソフトウェア２４２により実行され得る方法例１１００を例示する。ステップ１１０５において、トークンソフトウェア２４２はデータ交換ネットワーク２０６にウェアラブルデバイス２０２についてポーリングさせ得る。これは例えば、とりわけＢＬＵＥＴＯＯＴＨ（登録商標）若しくはＷＩ‐ＦＩ（登録商標）接続を介するネットワークへのジオロケーション若しくは接続性によりなされ得る。ステップ１１１０において、トークンソフトウェア２４２はデータ交換ネットワーク２０６にウェアラブルデバイスが見つかるかどうか決定させる。ウェアラブルデバイスが見つからない場合、トークンソフトウェア２４２はデータ交換ネットワーク２０６にウェアラブルデバイス２０２についてのポーリングを継続させる。ステップ１１１５において、かかるポーリングがウェアラブルデバイスが見つかるという結果に終わる場合、トークンソフトウェア２４２はデータ交換ネットワーク２０６に、特定ヘルスパラメータタイプのパーソナルヘルスパラメータデータと引き換えにトークンを提供するオファーとともに、検出されたウェアラブルデバイス２０２へリクエストを送信させる。ステップ１１２０においてトークンソフトウェア２４２はデータ交換ネットワーク２０６に、図７‐９に関してより詳細に上記した通り、ユーザが（その関連ウェアラブルデバイス２０２を介して）アクセス要求の承認を示しているかどうか決定させる。要求が承認されない場合、ポーリングステップ１１０５が再開される。要求が承認されている場合、ステップ１１２５においてトークンソフトウェア２４２はデータ交換ネットワーク２０６に要求されたデータを（図１０Ｂ‐１０Ｃに関して上記した通りかかる要求されたパーソナルヘルスパラメータデータと一つ以上のフラグが関連する場合、ソフトウェアコンテナの形で）ウェアラブルデバイス２０２から受信させる。ステップ１１３０において、トークンソフトウェア２４２はデータ交換ネットワーク２０６に送信されたデータを交換データベース２４６に保存させ得る。一部の場合において、トークンソフトウェア２４２は、例えばウェアラブルデバイス２０２において既になされていない場合にヘルスパラメータデータを匿名化及び／又は暗号化するため、ソフトウェアコンテナに含まれるアクティブコードを実行し得る。ステップ１１３５において、トークンソフトウェア２４２はデータ交換ネットワーク２０６に適切なトークンを探して交換データベース２４６を検索させ得る。"適切なトークン"とは、ユーザへ提供され承認されたトークンのパラメータを満たす任意のトークンであり得る。代替実施形態において、このステップは、交換データベース２４６においてトークンを検索し、かかるユーザによる承認前に実行されることができない形でユーザへかかるトークンの表現を送信することにより、この岐路において除外され得る。適切なトークンを発見すると、ステップ１１４０においてトークンソフトウェア２４２はデータ交換ネットワーク２０６に、データ交換ＧＵＩ２３８のディスプレイ２１６へクラウド若しくはインターネット２０８及びトランシーバ２１４を介して交換データベース２４６か���かかるトークンを送信させ、プロセスは終了する。
【００６１】
図１２は図２のデータ交換ネットワーク２０６上で実行するデータ分析ソフトウェア２４４により実行され得る方法例１２００を例示する。ステップ１２０５において、データ分析ソフトウェア２４４はデータ交換ネットワーク２０６にウェアラブルデバイス２０２についてポーリングさせ得る。これは例えば、とりわけＢＬＵＥＴＯＯＴＨ（登録商標）若しくはＷＩ‐ＦＩ（登録商標）接続を介するネットワークへのジオロケーション若しくは接続性によりなされ得る。ステップ１２１０において、データ分析ソフトウェア２４４はデータ交換ネットワーク２０６にウェアラブルデバイスが見つかるかどうか決定させる。ウェアラブルデバイスが見つからない場合、データ分析ソフトウェア２４４はデータ交換ネットワーク２０６にウェアラブルデバイス２０２についてのポーリングを継続させる。ステップ１２１５において、ポーリングがウェアラブルデバイスが見つかるという結果に終わる場合、データ分析ソフトウェア２４４はデータ交換ネットワーク２０６に、特定ヘルスパラメータタイプのパーソナルヘルスパラメータデータと引き換えにトークンを提供するオファーとともに、検出されたウェアラブルデバイス２０２へリクエストを送信させる。ステップ１２２０においてデータ分析ソフトウェア２４４はデータ交換ネットワーク２０６に、図７‐９に関してより詳細に上記した通り、ユーザが（その関連ウェアラブルデバイス２０２を介して）アクセス要求の承認を示しているかどうか決定させる。要求が承認されない場合、ポーリングステップ１２０５が再開される。要求が承認されている場合、ステップ１２２５においてデータ分析ソフトウェア２４４はデータ交換ネットワーク２０６に要求されたデータを（図１０Ｂ‐１０Ｃに関して上記した通りかかる要求されたパーソナルヘルスパラメータデータと一つ以上のフラグが関連する場合、ソフトウェアコンテナの形で）ウェアラブルデバイス２０２から受信させる。ステップ１２３０において、データ分析ソフトウェア２４４はデータ交換ネットワーク２０６に送信されたデータを交換データベース２４６へ保存させ得る。一部の場合において、データ分析ソフトウェア２４４は、例えばウェアラブルデバイス２０２において既になされていない場合にヘルスパラメータデータを匿名化及び／又は暗号化するため、ソフトウェアコンテナに含まれるアクティブコードを実行し得る。ステップ１２３５において、データ分析ソフトウェア２４４はデータ交換ネットワーク２０６に、ユーザに提供され承認される分析に適用可能な一つ以上の分析アルゴリズム（不図示）に従って伝送されたパーソナルヘルスパラメータデータに対する一つ以上の分析を実行させ、結果として得られる分析を交換データベース２４６に保存させる。ステップ１２４０において、データ分析ソフトウェア２４４はデータ交換ネットワーク２０６に、データ分析ＧＵＩ２３６のディスプレイ２１６へクラウド若しくはインターネット２０８及びトランシーバ２１４を介して交換データベース２４６からかかるデータ分析を送信させ、プロセスは終了する。
【００６２】
図１３は図２のデータ交換システムを利用する方法１３００を例示する。ウェアラブルデバイス２０２、データ交換ネットワーク２０６、サードパーティネットワーク２４８‐２５４、及びユーザデバイス２０４をそれぞれ提供することを含む、描かれるバックグラウンドステップ１３０５‐１３２０は、下記の通りこの方法例１３００が実施され得るハードウェア及びソフトウェア環境を共同で確立することが理解されるものとする。バックグラウンドステップ１３０５‐１３２０は図２のデータ交換システム２００を用いて実行される実際の方法の一部を形成しないことが理解されるものとする。
【００６３】
ステップ１３２５において、トークンソフトウェア２４２及び／又はデータ分析ソフトウェア２４４は、それぞれユーザへ提供されるトークン若しくはデータ分析を交換データベース２４６にロードするようサードパーティネットワーク２４８‐２５４に指示する。ステップ１３３０において、ウェアラブルデバイス２０２のベースソフトウェア２２４が実行され、ユーザがヘルスパラメータタイプによりデータ共有設定を設定することを可能にする。ステップ１３３５において、データ交換ネットワーク２０６がウェアラブルデバイス２０２についてポーリングする。ステップ１３４０において、データ交換ソフトウェア２２６は、適用可能な場合、データ交換ＧＵＩ２３８若しくはデータ分析ＧＵＩ２３６を介して、及び適用可能な場合はデータ共有設定を設定若しくはリセットすることにより、ユーザがパーソナルヘルスパラメータデータの要求を承認若しくは拒否することを可能にする。ステップ１３４５において、データフラッギングソフトウェア２２８はフラグデータＧＵＩ２３４からセキュリティ設定に基づいてソフトウェアコンテナを作成するようウェアラブルデバイス２０２に指示する。ステップ１３５０において、パーソナルヘルスパラメータデータが、ソフトウェアコンテナにおけるインスタンス化の有無を問わず（適用可能な場合）、デバイス２０２から通信トランシーバ２１４及びクラウド若しくはインターネット２０８を介してデータ交換ネットワーク２０６へ送信される。ステップ１３５５において、対応するインセンティブ（トークン若しくはデータ分析など）がウェアラブルデバイス２０２により受信され、ステップ１３６０においてかかる受信されたトークン、データ分析、若しくは他のインセンティブがウェアラブルデバイス２０２上のサードパーティデータベース２２２に保存される。図１３の方法は例に過ぎず、この方法の描かれたステップのサブセットを含む多くの他の方法が、図２のデータ交換システム２００への変更及び／又はその代替使用に従って考案され得ることを、当業者は容易に理解するだろう。
【００６４】
コンピュータ分野の当業者に明らかな通り、本明細書に記載の態様と実施形態のいずれか一つ以上は、本明細書の教示に従ってプログラムされる一つ以上のマシン（例えば電子文書用のユーザコンピュータデバイスとして利用される一つ以上のコンピュータデバイス、ドキュメントサーバといった一つ以上のサーバデバイスなど）を用いて好都合に実施され得る。ソフトウェア分野の当業者に明らかな通り、適切なソフトウェアコーディングが本開示の教示に基づいて熟練したプログラマーにより容易に準備され得る。ソフトウェア及び／又はソフトウェアモジュールを利用する上述の態様及び実施例は、ソフトウェア及び／又はソフトウェアモジュールのマシン実行可能命令の実施を支援するために適切なハードウェアも含み得る。
【００６５】
かかるソフトウェアはマシン可読記憶媒体を利用するコンピュータプログラム製品であり得る。マシン可読記憶媒体はマシン（例えばコンピュータデバイス）による実行用の命令のシーケンスを保存及び／又はエンコード可能な、本明細書に記載の方法及び／又は実施形態のいずれか一つをマシンに実行させる任意の媒体であり得る。マシン可読記憶媒体の例は、限定されないが、磁気ディスク、光学ディスク（例えばＣＤ、ＣＤ‐Ｒ、ＤＶＤ、ＤＶＤ‐Ｒなど）、光磁気ディスク、リードオンリーメモリ"ＲＯＭ"デバイス、ランダムアクセスメモリ"ＲＡＭ"デバイス、磁気カード、光学カード、ソリッドステートメモリデバイス、ＥＰＲＯＭ、ＥＥＰＲＯＭ、及びそれらの任意の組み合わせを含む。マシン可読媒体は、本明細書で使用される通り、単一媒体だけでなく、例えばコンピュータメモリと組み合わされるコンパクトディスクの集合若しくは一つ以上のハードディスクドライブなど、物理的に個別の媒体の集合も含むことが意図される。本明細書で使用される通り、マシン可読記憶媒体は一時的な形式の信号伝送を含まない。
【００６６】
かかるソフトウェアは搬送波などのデータキャリア上でデータ信号として搬送される情報（例えばデータ）も含み得る。例えば、マシン実行可能情報はデータキャリアにおいて具体化されるデータキャリア信号として含まれてもよく、その中で信号は、マシン（例えばコンピュータデバイス）による実行のための命令のシーケンス若しくはその一部、並びに本明細書に記載の方法及び／又は実施形態のいずれか一つをマシンに実行させる任意の関連情報（例えばデータ構造及びデータ）をエンコードする。
【００６７】
コンピュータデバイスの例は、限定されないが、電子書籍デバイス、コンピュータワークステーション、ターミナルコンピュータ、サーバコンピュータ、ハンドヘルドデバイス（例えばタブレットコンピュータ、スマートフォンなど）、ウェブアプライアンス、ネットワークルータ、ネットワークスイッチ、ネットワークブリッジ、そのマシンによりとられるアクションを規定する命令のシーケンスを実行可能な任意のマシン、及びそれらの任意の組み合わせを含む。一実施例において、コンピュータデバイスはキオスクを含む及び／又はキオスクに含まれ得る。
【００６８】
図１４は、図２のデータ交換システムなどの制御システムに、本開示の態様及び／又は方法のいずれか一つ以上を実行させるための命令のセットが実行され得る、コンピュータシステム１４００の例示的な形でコンピュータデバイスの一実施形態の図表示を示す。デバイスの一つ以上に本開示の態様及び／又は方法のいずれか一つ以上を実行させるための特殊構成命令セットを実施するために、複数のコンピュータデバイスが利用され得ることも考慮される。コンピュータシステム１４００は、相互に、及び他のコンポーネントと、バス１４１２を介して通信するプロセッサ１４０４とメモリ１４０８を含む。バス１４１２は、限定されないが、様々なバスアーキテクチャのいずれかを用いて、メモリバス、メモリコントローラ、周辺バス、ローカルバス、及びそれらの任意の組み合わせを含む、数タイプのバス構造のいずれかを含み得る。
【００６９】
メモリ１４０８は、限定されないが、ランダムアクセスメモリコンポーネント、リードオンリーコンポーネント、及びそれらの任意の組み合わせを含む、様々なコンポーネント（例えばマシン可読媒体）を含み得る。一実施例において、スタートアップ中など、コンピュータシステム１４００内の素子間での情報伝送を助ける基本ルーチンを含む、基本入出力システム１４１６（ＢＩＯＳ）がメモリ１４０８に保存され得る。メモリ１４０８は本開示の態様及び／又は方法のいずれか一つ以上を具体化する命令（例えばソフトウェア）１４２０も含み得る（例えば一つ以上のマシン可読媒体上に保存される）。別の実施例において、メモリ１４０８は、限定されないが、オペレーティングシステム、一つ以上のアプリケーションプログラム、他のプログラムモジュール、プログラムデータ、及びそれらの任意の組み合わせを含む、任意の数のプログラムモジュールをさらに含み得る。
【００７０】
コンピュータシステム１４００はストレージデバイス１４２４も含み得る。ストレージデバイスの例（例えばストレージデバイス１４２４）は、限定されないが、ハードディスクドライブ、磁気ディスクドライブ、光学媒体と組み合わせて光学ディスクドライブ、ソリッドステートメモリデバイス、及びそれらの任意の組み合わせを含む。ストレージデバイス１４２４は適切なインターフェース（不図示）によりバス１４１２へ接続され得る。インターフェース例は、限定されないが、ＳＣＳＩ、アドバンストテクノロジーアタッチメント（ＡＴＡ）、シリアルＡＴＡ、ユニバーサルシリアルバス（ＵＳＢ）、ＩＥＥＥ１３９４（ＦＩＲＥＷＩＲＥ）、及びそれらの任意の組み合わせを含む。一実施例において、ストレージデバイス１４２４（又はその一つ以上のコンポーネント）はコンピュータシステム１４００と（例えば外部ポートコネクタ（不図示）を介して）取り外し可能にインターフェースされ得る。特に、ストレージデバイス１４２４と関連マシン可読媒体１４２８は、マシン可読命令、データ構造、プログラムモジュール、及び／又はコンピュータシステム１４００用の他のデータの、不揮発性及び／又は揮発性ストレージを提供し得る。一実施例において、ソフトウェア１４２０は、マシン可読媒体１４２８内に完全に若しくは部分的に存在し得る。別の実施例において、ソフトウェア１４２０はプロセッサ１４０４内に完全に若しくは部分的に存在し得る。
【００７１】
コンピュータシステム１４００は入力デバイス１４３２も含み得る。一実施例において、コンピュータシステム１４００のユーザは入力デバイス１４３２を介してコンピュータシステム１４００へコマンド及び／又は他の情報を入力し得る。入力デバイス１４３２の実施例は、限定されないが、英数字入力デバイス（例えばキーボード）、ポインティングデバイス、ジョイスティック、ゲームパッド、オーディオ入力デバイス（例えばマイク、音声応答システムなど）、カーソル制御デバイス（例えばマウス）、タッチパッド、光学スキャナ、ビデオキャプチャデバイス（例えばスチルカメラ、ビデオカメラ）、タッチスクリーン、及びそれらの任意の組み合わせを含む。入力デバイス１４３２は、限定されないが、シリアルインターフェース、パラレルインターフェース、ゲームポート、ＵＳＢインターフェース、ＦＩＲＥＷＩＲＥインターフェース、バス１４１２へのダイレクトインターフェース、及びそれらの任意の組み合わせを含む、様々なインターフェース（不図示）のいずれかを介してバス１４１２へインターフェースされ得る。入力デバイス１４３２は、以下でさらに述べるディスプレイ１４３６の一部であるか若しくはそれとは別個であり得るタッチスクリーンインターフェースを含み得る。入力デバイス１４３２は上記グラフィカルインターフェースにおける一つ以上のグラフィック表現を選択するためのユーザ選択デバイスとして利用され得る。
【００７２】
ユーザはストレージデバイス１４２４（例えばリムーバブルディスクドライブ、フラッシュドライブなど）及び／又はネットワークインターフェースデバイス１４４０を介してコンピュータシステム１４００へコマンド及び／又は他の情報も入力し得る。ネットワークインターフェースデバイス１４４０など、ネットワークインターフェースデバイスは、ネットワーク１４４４などの様々なネットワークの一つ以上と、それに接続される一つ以上のリモートデバイス１４４８へコンピュータシステム１４００を接続するために利用され得る。ネットワークインターフェースデバイスの例は、限定されないが、ネットワークインターフェースカード（例えばモバイルネットワークインターフェースカード、ＬＡＮカード）、モデム、及びそれらの任意の組み合わせを含む。ネットワークの例は、限定されないが、ワイドエリアネットワーク（例えばインターネット、エンタープライズネットワーク）、ローカルエリアネットワーク（例えばオフィス、建物、キャンパス若しくは他の比較的小さい地理空間と関連するネットワーク）、電話ネットワーク、電話／音声プロバイダと関連するデータネットワーク（例えばモバイル通信プロバイダデータ及び／又は音声ネットワーク）、二つのコンピュータデバイス間の直接接続、及びそれらの任意の組み合わせを含む。ネットワーク１４４４などのネットワークは、有線及び／又は無線モードの通信を利用し得る。一般に、任意のネットワークトポロジが使用され得る。情報（例えばデータ、ソフトウェア１４２０など）はネットワークインターフェースデバイス１４４０を介してコンピュータシステム１４００へ、及び／又はそこから通信され得る。
【００７３】
コンピュータシステム１４００はディスプレイデバイス１４３６などのディスプレイデバイスへ表示可能な画像を通信するためのビデオディスプレイアダプタ１４５２をさらに含み得る。ディスプレイデバイスの例は、限定されないが、液晶ディスプレイ（ＬＣＤ）、ブラウン管（ＣＲＴ）、プラズマディスプレイ、発光ダイオード（ＬＥＤ）ディスプレイ、及びそれらの任意の組み合わせを含む。ディスプレイアダプタ１４５２及びディスプレイデバイス１４３６は本開示の態様のグラフィック表現を提供するためにプロセッサ１４０４と組み合わせて利用され得る。ディスプレイデバイスに加えて、コンピュータシステム１４００は、限定されないが、オーディオスピーカ、プリンタ、及びそれらの任意の組み合わせを含む一つ以上の他の周辺出力デバイスを含み得る。かかる周辺出力デバイスは周辺インターフェース１４５６を介してバス１４１２へ接続され得る。周辺インターフェースの例は、限定されないが、シリアルポート、ＵＳＢ接続、ＦＩＲＥＷＩＲＥ接続、パラレル接続、及びそれらの任意の組み合わせを含む。
【００７４】
上記は様々な実施形態例の詳細な説明である。本開示の精神と範囲から逸脱することなく様々な変更と追加がなされ得る。上記様々な実施形態の各々の特徴は、関連する新たな実施形態における多様な特徴の組み合わせを提供するために必要に応じて他の記載の実施形態の特徴と組み合わされ得る。さらに、上記は複数の個別実施形態を記載するが、本明細書に記載されているものは本開示の原理の適用の例に過ぎない。付加的に、本明細書では特定の方法が具体的順序で実行されるものとして例示及び／又は記載され得るが、順序は本開示に従って方法、システム、及びソフトウェアを実現する通常の技術の範囲内で非常に多様である。従って、本記載はほんの一例としてとられることを意味し、他の点で本開示の範囲を限定しない。
【００７５】
実施形態例が上記で開示され、添付の図面において例示されている。本開示の精神と範囲から逸脱することなく、本明細書で具体的に開示されるものに対し様々な変更、省略及び追加がなされ得ることが当業者により理解される。
【図１】
2018514831.tif 000003
【図２】
2018514831.tif 000004
【図３】
2018514831.tif 000005
【図４】
2018514831.tif 000006
【図５】
2018514831.tif 000007
【図６】
2018514831.tif 000008
【図７】
2018514831.tif 000009
【図８】
2018514831.tif 000010
【図９】
2018514831.tif 000011
【図１０Ａ】
2018514831.tif 000012
【図１０Ｂ】
2018514831.tif 000013
【図１０Ｃ】
2018514831.tif 000014
【図１１】
2018514831.tif 000015
【図１２】
2018514831.tif 000016
【図１３】
2018514831.tif 000017
【図１４】
2018514831.tif 000018
【国際調査報告】
2018514831.tif 000019
2018514831.tif 000020
2018514831.tif 000021